(57)【要約】  ワイヤレス通信ネットワーク（１００）内で動作する第１の通信デバイス（１０１）によって実施される方法。第１の通信デバイス（１０１）は、免許不要帯域内のアップリンク制御チャネル上で第２の通信デバイス（１０２）に送信するための１つまたは複数のパラメータを決定する（１１０１）。第２の通信デバイス（１０２）はワイヤレス通信ネットワーク（１００）内で動作する。１つまたは複数のパラメータはチャネル感知期間の持続時間の指示を含む。次いで第１の通信デバイス（１０１）は、決定した１つまたは複数のパラメータを適用することによって、アップリンク制御チャネル上で第２の通信デバイス（１０２）に送信をする（１１０２）。ワイヤレス通信ネットワーク（１００）内で動作する第２の通信デバイス（１０２）によって実施される方法によれば、第２の通信デバイス（１０２）は１つまたは複数のパラメータを決定する（１３０１）。次いで第２の通信デバイス（１０２）は、決定した１つまたは複数のパラメータを第１の通信デバイス（１０１）に送信することを開始する（１３０２）。【選択図】図１１
2019511858.tif 000002
【特許請求の範囲】
【請求項１】
ワイヤレス通信ネットワーク（１００）内で動作する第１の通信デバイス（１０１）によって実施される方法であって、
前記ワイヤレス通信ネットワーク（１００）内で動作する第２の通信デバイス（１０２）に免許不要帯域内のアップリンク制御チャネル上で送信をするための１つまたは複数のパラメータを決定すること（１１０１）であって、前記１つまたは複数のパラメータがチャネル感知期間の持続時間の指示を含む、決定すること、および
前記決定した１つまたは複数のパラメータを適用することによって、前記アップリンク制御チャネル上で前記第２の通信デバイス（１０２）に送信をすること（１１０２）
を含む方法。
【請求項２】
前記１つまたは複数のパラメータが、同一の時間リソース内のアップリンク制御チャネルの第１のグループ上で送信をする第１の通信デバイスのグループ（１１０）について同一であり、第１の通信デバイスの前記グループ（１１０）が前記第１の通信デバイス（１０１）を含み、第１の通信デバイスの前記グループ（１１０）が前記ワイヤレス通信ネットワーク（１００）内で動作する、請求項１に記載の方法。
【請求項３】
前記指示が、
ａ．ランダムバックオフカウンタの値、
ｂ．事前構成された値の適合
の一方を含む請求項１または２に記載の方法。
【請求項４】
前記１つまたは複数のパラメータを決定すること（１１０１）が、前記アップリンク制御チャネル上の送信の時間に基づく、請求項１から３のいずれか一項に記載の方法。
【請求項５】
前記１つまたは複数のパラメータを決定すること（１１０１）が、
ａ．前記第２の通信デバイス（１０２）から前記１つまたは複数のパラメータを受信すること、および
ｂ．前記１つまたは複数のパラメータを自律的に決定すること
の一方を含む、請求項１から４のいずれか一項に記載の方法。
【請求項６】
前記１つまたは複数のパラメータを決定すること（１１０１）が、
ａ．前記アップリンク制御チャネルに対応するダウンリンクまたはアップリンク割当て、
ｂ．マスタ情報ブロック（ＭＩＢ）、
ｃ．システム情報ブロック（ＳＩＢ）、
ｄ．共通物理ダウンリンク制御チャネル（ＣＰＤＣＣＨ）、
ｅ．ダウンリンク（ＤＬ）メッセージ内の未使用物理ハイブリッド自動再送要求指示チャネル（ＰＨＩＣＨ）領域、および
ｆ．準静的構成
のうちの１つにおいて、前記第２の通信デバイス（１０２）から前記１つまたは複数のパラメータを受信することを含む、請求項５に記載の方法。
【請求項７】
前記第２の通信デバイス（１０２）からの前記１つまたは複数のパラメータの受信が、前記ＭＩＢおよび前記ＳＩＢの一方で行われ、前記１つまたは複数のパラメータが、同一の時間リソース内のアップリンク制御チャネルの第１のグループ上で送信をする第１の通信デバイスのグループ（１１０）内の他の第１の通信デバイス（１１２、１１３）から、アップリンク制御チャネルおよび／またはアップリンク共有チャネルと同一の単位の時間−周波数リソース内で物理ランダムアクセスチャネル（ＰＲＡＣＨ）プリアンブルを送信するために前記第１の通信デバイス（１０１）によって使用され、第１の通信デバイスの前記グループ（１１０）が前記第１の通信デバイス（１０１）を含む、請求項６に記載の方法。
【請求項８】
ＤＬ活動が前記アップリンク制御チャネルに関連付けられておらず、前記第１の通信デバイス（１０１）が前の送信機会（ＴＸＯＰ）の後にフルランダムバックオフを完了したとき、前記持続時間が単一のクリアチャネル評価（ＣＣＡ）であると決定される、請求項１から７のいずれか一項に記載の方法。
【請求項９】
動的スケジューリング要求（Ｄ−ＳＲ）が、
ａ．ショート物理アップリンク制御チャネル（ｓＰＵＣＣＨ）機会のみ、
ｂ．パンクチュアドサウンディング参照信号（ＳＲＳ）に対応する時間−周波数リソース、
の一方で送られるように構成される、請求項１から８のいずれか一項に記載の方法。
【請求項１０】
前記１つまたは複数のパラメータを決定すること（１１０１）が、前記第１の通信デバイス（１０１）が前記１つまたは複数のパラメータを自律的に決定することを含み、且つ、前記第１の通信デバイス１０１によるＴＸＯＰの推定に基づいてＬｉｓｔｅｎ  Ｂｅｆｏｒｅ  Ｔａｌｋ（ＬＢＴ）パラメータを決定することを含む、請求項１から９のいずれか一項に記載の方法。
【請求項１１】
前記アップリンク制御チャネル上で送信をすることが複数の搬送波内で行われ、前記１つまたは複数のパラメータが、前記複数の搬送波の隣接する搬送波上のアップリンク（ＵＬ）送信が完了するまでの、前記複数の搬送波のうちの１つにおいて前記アップリンク制御チャネル上で送信をすることの延期をさらに含む、請求項１から１０のいずれか一項に記載の方法。
【請求項１２】
前記１つまたは複数のパラメータが、同一の時間インスタンスで複数のアップリンク制御情報を送信するために、時間領域において前記アップリンク制御チャネル上で送信をすることの延期をさらに含む、請求項１から１１のいずれか一項に記載の方法。
【請求項１３】
前記アップリンク制御チャネルが、ａ）物理アップリンク制御チャネル（ＰＵＣＣＨ）、ｂ）ｓＰＵＣＣＨ、およびｃ）拡張ＰＵＣＣＨ（ｅＰＵＣＣＨ）のうちの少なくとも１つである、請求項１から１２のいずれか一項に記載の方法。
【請求項１４】
少なくとも１つのプロセッサ（１４０４）上で実行されるとき、請求項１から１３のいずれか一項に記載の方法を前記少なくとも１つのプロセッサ（１４０４）に実施させる命令を含むコンピュータプログラム（１４０８）。
【請求項１５】
少なくとも１つのプロセッサ（１４０４）上で実行されるとき、請求項１から１３のいずれか一項に記載の方法を前記少なくとも１つのプロセッサ（１４０４）に実施させる命令を含むコンピュータプログラム（１４０８）を記憶するコンピュータ可読記憶媒体（１４０９）。
【請求項１６】
ワイヤレス通信ネットワーク（１００）内で動作する第２の通信デバイス（１０２）によって実施される方法であって、
第１の通信デバイス（１０１）が前記第２の通信デバイス（１０２）に免許不要帯域内のアップリンク制御チャネル上で送信をするための１つまたは複数のパラメータを決定すること（１３０１）であって、前記第１の通信デバイス（１０１）が前記ワイヤレス通信ネットワーク（１００）内で動作し、前記１つまたは複数のパラメータがチャネル感知期間の持続時間の指示を含む、決定すること、および
前記第１の通信デバイス（１０１）に前記決定した１つまたは複数のパラメータを送信することを開始すること（１３０２）
を含む方法。
【請求項１７】
前記１つまたは複数のパラメータが、同一の時間リソース内のアップリンク制御チャネルの第１のグループ上で前記第２の通信デバイス（１０２）に送信をする第１の通信デバイスのグループ（１１０）について同一であり、第１の通信デバイスの前記グループ（１１０）が前記第１の通信デバイス（１０１）を含み、第１の通信デバイスの前記グループ（１１０）が前記ワイヤレス通信ネットワーク（１００）内で動作する、請求項１６に記載の方法。
【請求項１８】
前記１つまたは複数のパラメータを決定すること（１３０１）が、前記アップリンク制御チャネル上の送信の時間に基づく、請求項１６または１７に記載の方法。
【請求項１９】
前記指示が、
ａ．ランダムバックオフカウンタの値、
ｂ．事前構成された値の適合
の一方を含む、請求項１６から１８のいずれか一項に記載の方法。
【請求項２０】
前記決定した１つまたは複数のパラメータを送信することを開始すること（１３０２）が、
ａ．前記アップリンク制御チャネルに対応するダウンリンクまたはアップリンク割当て、
ｂ．マスタ情報ブロック（ＭＩＢ）、
ｃ．システム情報ブロック（ＳＩＢ）、
ｄ．共通物理ダウンリンク制御チャネル（ＣＰＤＣＣＨ）、
ｅ．ダウンリンク（ＤＬ）メッセージ内の未使用物理ハイブリッド自動再送要求指示チャネル（ＰＨＩＣＨ）領域、および
ｆ．準静的構成
のうちの１つで行われる、請求項１６から１９のいずれか一項に記載の方法。
【請求項２１】
ＤＬ活動が前記アップリンク制御チャネルに関連付けられておらず、前記第１の通信デバイス（１０１）が前の送信機会（ＴＸＯＰ）の後にフルランダムバックオフを完了したとき、前記持続時間が単一のクリアチャネル評価（ＣＣＡ）であると決定される、請求項１６から２０のいずれか一項に記載の方法。
【請求項２２】
動的スケジューリング要求（Ｄ−ＳＲ）が、
ａ．ショートＰＵＣＣＨ（ｓＰＵＣＣＨ）機会のみ、
ｂ．パンクチュアドサウンディング参照信号（ＳＲＳ）に対応する時間−周波数リソース
の一方で送られるように構成される、請求項１６から２１のいずれか一項に記載の方法。
【請求項２３】
前記アップリンク制御チャネル上で送信をすることが複数の搬送波内で行われ、前記１つまたは複数のパラメータが、前記複数の搬送波の隣接する搬送波上のアップリンク（ＵＬ）送信が完了するまでの、前記複数の搬送波のうちの１つにおいて前記アップリンク制御チャネル上で送信をすることの延期をさらに含む、請求項１６から２２のいずれか一項に記載の方法。
【請求項２４】
前記１つまたは複数のパラメータが、同一の時間インスタンスで複数のアップリンク制御情報を送信するために、時間領域において前記アップリンク制御チャネル上で送信をすることの延期をさらに含む、請求項１６から２３のいずれか一項に記載の方法。
【請求項２５】
前記アップリンク制御チャネルが、ａ）物理アップリンク制御チャネル（ＰＵＣＣＨ）、ｂ）ｓＰＵＣＣＨ、およびｃ）拡張ＰＵＣＣＨ（ｅＰＵＣＣＨ）のうちの少なくとも１つである、請求項１６から２４のいずれか一項に記載の方法。
【請求項２６】
少なくとも１つのプロセッサ（１５０４）上で実行されるとき、請求項１６から２５のいずれか一項に記載の方法を前記少なくとも１つのプロセッサ（１５０４）に実施させる命令を含むコンピュータプログラム（１５０８）。
【請求項２７】
少なくとも１つのプロセッサ（１５０４）上で実行されるとき、請求項１６から２５のいずれか一項に記載の方法を前記少なくとも１つのプロセッサ（１５０４）に実施させる命令を含むコンピュータプログラム（１５０８）を記憶するコンピュータ可読記憶媒体（１５０９）。
【請求項２８】
ワイヤレス通信ネットワーク（１００）内で動作するように構成された第１の通信デバイス（１０１）であって、
前記ワイヤレス通信ネットワーク（１００）内で動作するように構成された第２の通信デバイス（１０２）に免許不要帯域内のアップリンク制御チャネル上で送信をするための１つまたは複数のパラメータを決定することであって、前記１つまたは複数のパラメータがチャネル感知期間の持続時間の指示を含む、決定すること、および
前記決定した１つまたは複数のパラメータを適用することによって、前記第２の通信デバイス（１０２）に前記アップリンク制御チャネル上で送信をすること
を行うようにさらに構成される第１の通信デバイス（１０１）。
【請求項２９】
前記１つまたは複数のパラメータが、同一の時間リソース内のアップリンク制御チャネルの第１のグループ上で送信をするように構成された第１の通信デバイスのグループ（１１０）について同一であり、第１の通信デバイスの前記グループ（１１０）が前記第１の通信デバイス（１０１）を含み、第１の通信デバイスの前記グループ（１１０）が、前記ワイヤレス通信ネットワーク（１００）内で動作するようにさらに構成される、請求項２８に記載の第１の通信デバイス（１０１）。
【請求項３０】
前記指示が、
ａ．ランダムバックオフカウンタの値、
ｂ．事前構成された値の適合
の一方を含む、請求項２８または２９に記載の第１の通信デバイス（１０１）。
【請求項３１】
前記１つまたは複数のパラメータを決定することが、前記アップリンク制御チャネル上の送信の時間に基づくように構成される、請求項２８から３０のいずれか一項に記載の第１の通信デバイス（１０１）。
【請求項３２】
前記１つまたは複数のパラメータを決定することが、
ａ．前記第２の通信デバイス（１０２）から前記１つまたは複数のパラメータを受信すること、および
ｂ．前記１つまたは複数のパラメータを自律的に決定すること
の一方を含む、請求項２８から３１のいずれか一項に記載の第１の通信デバイス（１０１）。
【請求項３３】
前記１つまたは複数のパラメータを決定することが、
ａ．前記アップリンク制御チャネルに対応するダウンリンクまたはアップリンク割当て、
ｂ．マスタ情報ブロック（ＭＩＢ）、
ｃ．システム情報ブロック（ＳＩＢ）、
ｄ．共通物理ダウンリンク制御チャネル（ＣＰＤＣＣＨ）、
ｅ．ダウンリンク（ＤＬ）メッセージ内の未使用物理ハイブリッド自動再送要求指示チャネル（ＰＨＩＣＨ）領域、および
ｆ．準静的構成
のうちの１つにおいて、前記第２の通信デバイス（１０２）から前記１つまたは複数のパラメータを受信することを含む、請求項３２に記載の第１の通信デバイス（１０１）。
【請求項３４】
前記第２の通信デバイス（１０２）から前記１つまたは複数のパラメータを受信することは、前記ＭＩＢおよび前記ＳＩＢの一方で行われ、前記１つまたは複数のパラメータが、同一の時間リソース内のアップリンク制御チャネルの第１のグループ上で送信をするように構成された第１の通信デバイスのグループ（１１０）内の他の第１の通信デバイス（１１２、１１３）から、アップリンク制御チャネルおよび／またはアップリンク共有チャネルと同一の単位の時間−周波数リソース内で物理ランダムアクセスチャネル（ＰＲＡＣＨ）プリアンブルを送信するために前記第１の通信デバイス（１０１）によって使用されるように構成され、第１の通信デバイスの前記グループ（１１０）が前記第１の通信デバイス（１０１）を含む、請求項３３に記載の第１の通信デバイス（１０１）。
【請求項３５】
ＤＬ活動が前記アップリンク制御チャネルに関連付けられておらず、前記第１の通信デバイス（１０１）が前の送信機会（ＴＸＯＰ）の後にフルランダムバックオフを完了したとき、前記持続時間が単一のクリアチャネル評価（ＣＣＡ）であると決定されるように構成される、請求項２８から３４のいずれか一項に記載の第１の通信デバイス（１０１）。
【請求項３６】
動的スケジューリング要求（Ｄ−ＳＲ）が、
ａ．ショート物理アップリンク制御チャネル（ｓＰＵＣＣＨ）機会のみ、
ｂ．パンクチュアドサウンディング参照信号（ＳＲＳ）に対応する時間−周波数リソース、
の一方で送られるように構成される、請求項２８から３５のいずれか一項に記載の第１の通信デバイス（１０１）。
【請求項３７】
前記１つまたは複数のパラメータを決定することが、前記第１の通信デバイス（１０１）が前記１つまたは複数のパラメータを自律的に決定することを含み、且つ、前記第１の通信デバイス（１０１）によるＴＸＯＰの推定に基づいてＬｉｓｔｅｎ  Ｂｅｆｏｒｅ  Ｔａｌｋ（ＬＢＴ）パラメータを決定することを含む、請求項２８から３６のいずれか一項に記載の第１の通信デバイス（１０１）。
【請求項３８】
前記アップリンク制御チャネル上で送信をすることが複数の搬送波内で行われ、前記１つまたは複数のパラメータが、前記複数の搬送波の隣接する搬送波上のアップリンク（ＵＬ）送信が完了するまでの、前記複数の搬送波のうちの１つにおいて前記アップリンク制御チャネル上で送信をすることの延期をさらに含む、請求項２８から３７のいずれか一項に記載の第１の通信デバイス（１０１）。
【請求項３９】
前記１つまたは複数のパラメータが、同一の時間インスタンスで複数のアップリンク制御情報を送信するために、時間領域において前記アップリンク制御チャネル上で送信をすることの延期をさらに含む、請求項２８から３８のいずれか一項に記載の第１の通信デバイス（１０１）。
【請求項４０】
前記アップリンク制御チャネルが、ａ）物理アップリンク制御チャネル（ＰＵＣＣＨ）、ｂ）ｓＰＵＣＣＨ、およびｃ）拡張ＰＵＣＣＨ（ｅＰＵＣＣＨ）のうちの少なくとも１つである、請求項２８から３９のいずれか一項に記載の第１の通信デバイス（１０１）。
【請求項４１】
ワイヤレス通信ネットワーク（１００）内で動作するように構成された第２の通信デバイス（１０２）であって、
第１の通信デバイス（１０１）が第２の通信デバイス（１０２）に免許不要帯域内のアップリンク制御チャネル上で送信をするための１つまたは複数のパラメータを決定することであって、前記第１の通信デバイス（１０１）が前記ワイヤレス通信ネットワーク（１００）内で動作するように構成され、前記１つまたは複数のパラメータがチャネル感知期間の持続時間の指示を含む、決定すること、および
前記第１の通信デバイス（１０１）に前記決定した１つまたは複数のパラメータを送信することを開始すること（１３０２）
を行うようにさらに構成される第２の通信デバイス（１０２）。
【請求項４２】
前記１つまたは複数のパラメータが、同一の時間リソース内のアップリンク制御チャネルの第１のグループ上で第２の通信デバイス（１０２）に送信をするように構成された第１の通信デバイスのグループ（１１０）について同一であり、第１の通信デバイスの前記グループ（１１０）が前記第１の通信デバイス（１０１）を含み、第１の通信デバイスの前記グループ（１１０）が、前記ワイヤレス通信ネットワーク（１００）内で動作するようにさらに構成される、請求項４１に記載の第２の通信デバイス（１０２）。
【請求項４３】
前記１つまたは複数のパラメータを決定することが、前記アップリンク制御チャネル上の送信の時間に基づくように構成される、請求項４１または４２に記載の第２の通信デバイス（１０２）。
【請求項４４】
前記指示が、
ａ．ランダムバックオフカウンタの値、
ｂ．事前構成された値の適合
の一方を含む、請求項４１から４３のいずれか一項に記載の第２の通信デバイス（１０２）。
【請求項４５】
前記決定した１つまたは複数のパラメータを送信することを開始すること（１３０２）が、
ａ．前記アップリンク制御チャネルに対応するダウンリンクまたはアップリンク割当て、
ｂ．マスタ情報ブロック（ＭＩＢ）、
ｃ．システム情報ブロック（ＳＩＢ）、
ｄ．共通物理ダウンリンク制御チャネル（ＣＰＤＣＣＨ）、
ｅ．ダウンリンク（ＤＬ）メッセージ内の未使用物理ハイブリッド自動再送要求指示チャネル（ＰＨＩＣＨ）領域、および
ｆ．準静的構成
のうちの１つで行われる、請求項４１から４４のいずれか一項に記載の第２の通信デバイス（１０２）。
【請求項４６】
ＤＬ活動が前記アップリンク制御チャネルに関連付けられておらず、前記第１の通信デバイス（１０１）が前の送信機会（ＴＸＯＰ）の後にフルランダムバックオフを完了したとき、前記持続時間が単一のクリアチャネル評価（ＣＣＡ）であると決定されるように構成される、請求項４１から４５のいずれか一項に記載の第２の通信デバイス（１０２）。
【請求項４７】
動的スケジューリング要求（Ｄ−ＳＲ）が、
ａ．ショートＰＵＣＣＨ（ｓＰＵＣＣＨ）機会のみ、
ｂ．パンクチュアドサウンディング参照信号（ＳＲＳ）に対応する時間−周波数リソース、
の一方で送られるように構成される、請求項４１から４６のいずれか一項に記載の第２の通信デバイス（１０２）。
【請求項４８】
前記アップリンク制御チャネル上で送信をすることが複数の搬送波内で行われ、前記１つまたは複数のパラメータが、前記複数の搬送波の隣接する搬送波上のアップリンク（ＵＬ）送信が完了するまでの、前記複数の搬送波のうちの１つにおいて前記アップリンク制御チャネル上で送信をすることの延期をさらに含む、請求項４１から４７のいずれか一項に記載の第２の通信デバイス（１０２）。
【請求項４９】
前記１つまたは複数のパラメータが、同一の時間インスタンスで複数のアップリンク制御情報を送信するために、時間領域において前記アップリンク制御チャネル上で送信をすることの延期をさらに含む、請求項４１から４８のいずれか一項に記載の第２の通信デバイス（１０２）。
【請求項５０】
前記アップリンク制御チャネルが、ａ）物理アップリンク制御チャネル（ＰＵＣＣＨ）、ｂ）ｓＰＵＣＣＨ、およびｃ）拡張ＰＵＣＣＨ（ｅＰＵＣＣＨ）のうちの少なくとも１つである、請求項４１から４９のいずれか一項に記載の第２の通信デバイス（１０２）。
【発明の詳細な説明】
【技術分野】
【０００１】
本明細書の実施形態は、免許不要帯域内のアップリンク制御チャネル上での送信を処理するための第１の通信デバイス、およびその中での方法に関する。本明細書の実施形態はさらに、第１の通信デバイスがアップリンク制御チャネル上で送信するための１つまたは複数のパラメータを決定するための第２の通信デバイス、およびその中での方法に関する。本明細書の実施形態はさらに、これらの方法を実施するためのコンピュータプログラム、およびそのコンピュータプログラムを記憶したコンピュータ可読記憶媒体に関する。
【背景技術】
【０００２】
端末などのワイヤレスデバイスは、例えば、ユーザ機器（ＵＥ）、端末、モバイル、ワイヤレス端末、および／または移動局としても知られている。ワイヤレスデバイスは、セルラ無線システムまたはセルラネットワークとも呼ばれることのあるセルラ通信ネットワークまたはワイヤレス通信システム内でワイヤレスに通信するように動作可能にされる。通信は、例えば、セルラ通信ネットワーク内に含まれる、無線アクセスネットワーク（ＲＡＮ）、および場合によっては１つまたは複数のコアネットワークを介して、２つのワイヤレスデバイス間、ワイヤレスデバイスと通常の電話との間、および／またはワイヤレスデバイスとサーバとの間で実施され得る。
【０００３】
ワイヤレスデバイスはさらに、単にいくつかのさらなる例を挙げると、携帯電話、セルラ電話、ラップトップ、またはワイヤレス機能付きのタブレットと呼ばれることがある。この文脈でのワイヤレスデバイスは、例えば、ＲＡＮを介して、別の端末またはサーバなどの別のエンティティと、音声および／またはデータを通信するように動作可能にされた、ポータブルモバイルデバイス、ポケット格納可能モバイルデバイス、ハンドヘルドモバイルデバイス、コンピュータに含まれるモバイルデバイス、または車載モバイルデバイスでよい。
【０００４】
セルラ通信ネットワークは、セルエリアに分割され得る地理的エリアをカバーし、各セルエリアは、使用される技術および用語に応じて、例えばエボルブドノードＢ「ｅＮＢ」、「ｅＮｏｄｅＢ」、「ＮｏｄｅＢ」、「Ｂノード」、またはＢＴＳ（送受信基地局）と呼ばれることのある、基地局、例えば無線基地局（ＲＢＳ）などのアクセスノードによってサーブされ得る。基地局は、送信電力、およびそれによってセルサイズにも基づいて、例えば、マクロｅＮｏｄｅＢ、ホームｅＮｏｄｅＢ、またはピコ基地局などの様々なクラスのものでよい。セルは、基地局サイトの基地局によって無線カバレッジが提供される地理的エリアである。基地局サイト上に位置する１つの基地局は、１つまたはいくつかのセルにサーブし得る。さらに、各基地局は、１つまたはいくつかの通信技術をサポートし得る。基地局は、無線周波数上で動作するエアインターフェースを介して、基地局の範囲内の端末と通信する。本開示の文脈では、ダウンリンク（ＤＬ）という表現が、基地局から移動局への伝送路について用いられる。アップリンク（ＵＬ）という表現が、逆方向の、すなわち移動局から基地局への伝送路について用いられる。
【０００５】
３ｒｄ  Ｇｅｎｅｒａｔｉｏｎ  Ｐａｒｔｎｅｒｓｈｉｐ  Ｐｒｏｊｅｃｔ（３ＧＰＰ）  Ｌｏｎｇ  Ｔｅｒｍ  Ｅｖｏｌｕｔｉｏｎ（ＬＴＥ）では、ｅＮｏｄｅＢ、さらにはｅＮＢと呼ばれることのある基地局が、１つまたは複数のコアネットワークに直接的に接続され得る。
【０００６】
３ＧＰＰ  ＬＴＥ無線アクセス規格は、アップリンクトラフィックとダウンリンクトラフィックの両方について高ビットレートおよび低レイテンシをサポートするために書かれた。すべてのデータ送信は、ＬＴＥでは無線基地局によって制御される。
【０００７】
３ＧＰＰ  Ｒｅｌｅａｓｅ  １３（Ｒｅｌ−１３）特徴「Ｌｉｃｅｎｓｅｄ−Ａｓｓｉｓｔｅｄ  Ａｃｃｅｓｓ」（ＬＡＡ）は、通信デバイスなどのＬＴＥ機器が、免許不要５ギガヘルツ（ＧＨｚ）無線スペクトル内でも動作することを可能にする。免許不要５ＧＨｚスペクトルは、免許スペクトルに対する補完として使用され得る。Ｒｅｌｅａｓｅ  １４  ３ＧＰＰ  Ｒｅｌ−１４ワークアイテムは、ＬＡＡにＵＬ送信を追加し得る。したがって、通信デバイスは、例えば１次セルまたはＰＣｅｌｌを通じて、免許スペクトル内で接続し得、キャリアアグリゲーションを使用して、例えば２次セルまたはＳＣｅｌｌを通じて、免許不要スペクトル内の追加の伝送容量から恩恵を受け得る。免許不要スペクトル内のＬＴＥのスタンドアロン動作も可能であり得、ＭｕＬＴＥｆｉｒｅ  Ａｌｌｉａｎｃｅによって開発中である。
【０００８】
しかしながら、規制要件により、事前のチャネル感知なしに免許不要スペクトル内の送信が許可されないことがある。免許不要スペクトルが、類似の、または異なるワイヤレス技術の他の無線と共用され得るので、いわゆるＬｉｓｔｅｎ−Ｂｅｆｏｒｅ−Ｔａｌｋ（ＬＢＴ）方法を適用する必要があり得る。ＬＢＴは、事前定義された最小限の時間量の間、媒体を感知すること、およびチャネルがビジーである場合、バックオフすることを含み得る。今日、ＩＥＥＥ  ８０２．１１ワイヤレスローカルエリアネットワーク（ＷＬＡＮ）規格を実装する機器によって免許不要５ＧＨｚスペクトルが主に使用される。この規格は、そのマーケティングブランド「Ｗｉ−Ｆｉ」の下で知られている。
【０００９】
ＬＴＥ
ＬＴＥは、ＤＬでは直交周波数分割多重（ＯＦＤＭ）を使用し、ＵＬではシングルキャリア周波数分割多元接続（ＳＣ−ＦＤＭＡ）とも呼ばれる離散フーリエ変換（ＤＦＴ）拡散ＯＦＤＭを使用し得る。したがって、基本ＬＴＥ  ＤＬ物理リソースは、図１に示されるように時間周波数グリッドとして見ることができ、各リソース要素は、１つのＯＦＤＭシンボル間隔中の１つのＯＦＤＭ副搬送波に対応する。ＵＬサブフレームは、ＤＬと同一の副搬送波間隔、およびＤＬ内のＯＦＤＭシンボルと同数の時間領域内のＳＣ−ＦＤＭＡシンボルを有し得る。副搬送波間隔は、図示されるように１５キロヘルツ（ｋＨｚ）となるように選ばれた。
【００１０】
時間領域では、ＬＴＥ  ＤＬ送信は１０ミリ秒（ｍｓ）の無線フレームに編成され、各無線フレームは、ＬＴＥ時間領域構造を示す図２に示されるように、長さＴｓｕｂｆｒａｍｅ＝１ｍｓの１０個の等しいサイズのサブフレームからなる。各サブフレームは、それぞれ０．５ｍｓの持続時間の２つのスロットを含み、フレーム内のスロット番号付けは０から１９の範囲に及び得る。通常のサイクリックプレフィックスでは、１つのサブフレームは１４個のＯＦＤＭシンボルからなり得る。各シンボルの持続時間は約７１．４マイクロ秒（μｓ）でよい。
【００１１】
さらに、ＬＴＥでのリソース割振りは通常、リソースブロックによって記述され得、リソースブロックは、時間領域では１スロット０．５ｍｓに対応し、周波数領域では１２個の連続する副搬送波に対応する。時間方向の１対の２つの隣接するリソースブロック１．０ｍｓは、リソースブロック対として知られ得る。リソースブロックは、周波数領域で、システム帯域幅の一端から０で開始して番号付けられ得る。
【００１２】
ダウンリンク送信は動的にスケジューリングされ得、すなわち、各サブフレームでは、基地局は、現ＤＬサブフレーム内で、どの端末にデータが送信されるか、およびどのリソースブロック上にデータが送信されるかについての制御情報を送信し得る。この制御シグナリングは通常、各サブフレーム内の最初の１、２、３、または４つのＯＦＤＭシンボルで送信され得、数字ｎ＝１、２、３、または４は制御フォーマットインジケータ（ＣＦＩ）として知られている。ＤＬサブフレームはまた、共通参照シンボルをも含み得、共通参照シンボルは受信機に知られており、例えば制御情報のコヒーレント復調のために使用され得る。制御領域としてＣＦＩ＝３個のＯＦＤＭシンボルを有するＤＬシステムが、通常のＤＬサブフレームを示す図３に示されている。図３の制御領域は、市松模様の正方形によって示される制御シグナリングと、縞模様の正方形によって示される参照シンボルと、白い正方形によって示される未使用シンボルとを含むものとして示されている。上記の図３に示される参照シンボルはセル特有参照シンボル（ＣＲＳ）であり、いくつかの伝送モードについてのファインタイムおよび周波数同期およびチャネル推定を含む複数の機能をサポートするために使用され得る。
【００１３】
アップリンク送信が動的にスケジューリングされ得、すなわち、各ダウンリンクサブフレームでは、基地局は、どの端末が後続のサブフレームでｅＮＢにデータを送信すべきか、およびどのリソースブロック上でデータが送信され得るかについての制御情報を送信し得る。アップリンクリソースグリッドは、物理アップリンク共有チャネル（ＰＵＳＣＨ）内のデータおよびアップリンク制御情報と、物理アップリンク制御チャネル（ＰＵＣＣＨ）内のアップリンク制御情報と、復調用参照信号（ＤＭＲＳ）やサウンディング参照信号（ＳＲＳ）などの様々な参照信号とからなり得る。ＤＭＲＳは、ＰＵＳＣＨおよびＰＵＣＣＨデータのコヒーレント復調のために使用され得るのに対して、ＳＲＳは、いかなるデータまたは制御情報とも関連付けられないことがあるが、一般には、周波数選択的スケジューリングの目的でアップリンクチャネル品質を推定するために使用され得る。Ｒｅｌ−１２による例示的アップリンクサブフレームが図４に示されている。ＵＬ  ＤＭＲＳおよびＳＲＳは、ＵＬサブフレームに時間多重化されるが、ＳＲＳは、常に通常のＵＬサブフレームの最後のシンボル内で送信され得ることに留意されたい。図４では、第１のユーザ（ＵＥ  １  ＳＲＳ）からＳＲＳを分離し、第２のユーザ（ＵＥ  ２  ＳＲＳ）からＳＲＳを分離するために周波数多重化が使用される。ＰＵＳＣＨ  ＤＭＲＳは、通常のサイクリックプレフィックスを有するサブフレームについてスロットごとに１度送信され得、第４および第１１のＳＣ−ＦＤＭＡシンボル内に配置され得る。
【００１４】
ＬＴＥ  Ｒｅｌ−１１以降は、ＤＬまたはＵＬリソース割当てが拡張物理ダウンリンク制御チャネル（ＥＰＤＣＣＨ）上でもスケジューリングされ得る。Ｒｅｌ−８からＲｅｌ−１０では、物理ダウンリンク制御チャネル（ＰＤＣＣＨ）だけが利用可能であり得る。リソースグラントはＵＥ特有のものでよく、ＵＥ特有のセル無線ネットワーク一時識別子（Ｃ−ＲＮＴＩ）でダウンリンク制御情報（ＤＣＩ）周期的冗長検査（ＣＲＣ）をスクランブルすることによって示され得る。
【００１５】
ＬＴＥ  ＰＵＣＣＨ
ＬＴＥでは、ＰＵＣＣＨは、周波数領域内のシステム帯域幅の端に配置され得る。あるサブフレームでの各ＰＵＣＣＨ送信は、第１のスロット内のシステム帯域幅の一端またはその近くでの単一のＲＢと、その後に続く、次のスロット内のシステム帯域幅の他端またはその近くでの第２のＲＢとを含み得る。複数のＵＥが同一のＰＵＣＣＨ  ＲＢ上で多重化され得、周波数および／または時間領域内の符号分割多重を介してユーザ分離が達成される。ＰＵＣＣＨは、チャネル品質情報（ＣＱＩ）、ハイブリッド自動再送信要求（ＨＡＲＱ）肯定応答／否定応答（ＡＣＫ／ＮＡＣＫ）、およびアップリンクスケジューリング要求を含む制御情報を搬送し得る。３ＧＰＰ  ＴＳ３６．２１１  Ｓｅｃｔｉｏｎ  ５．４を参照されたい。
【００１６】
キャリアアグリゲーション
ＬＴＥ  Ｒｅｌｅａｓｅ  １０規格は、２０メガヘルツ（ＭＨｚ）よりも広い帯域幅をサポートし得る。ＬＴＥ  Ｒｅｌｅａｓｅ  １０に関する１つの重要な要件は、ＬＴＥ  Ｒｅｌｅａｓｅ  ８との後方互換性を保証することであり得る。これはまた、スペクトル互換性をも含み得る。これは、２０ＭＨｚよりも広いＬＴＥ  Ｒｅｌｅａｓｅ  １０搬送波が、ＬＴＥ  Ｒｅｌｅａｓｅ  ８端末にはいくつかのＬＴＥ搬送波として見え得ることを示唆し得る。そのような各搬送波はコンポーネントキャリア（ＣＣ）と呼ばれることがある。具体的には、初期のＬＴＥ  Ｒｅｌｅａｓｅ  １０配置では、多くのＬＴＥレガシー端末と比較して、より少数のＬＴＥ  Ｒｅｌｅａｓｅ  １０対応端末が存在し得ることが予想され得る。したがって、レガシー端末についても広い搬送波の効率的な使用を保証すること、すなわち広帯域ＬＴＥ  Ｒｅｌｅａｓｅ  １０搬送波のすべての部分でレガシー端末がスケジューリングされ得る搬送波を実装することが可能であり得ることを保証することが必要であり得る。これを得るための直接的な方式は、キャリアアグリゲーション（ＣＡ）によるものであり得る。ＣＡは、ＬＴＥ  Ｒｅｌｅａｓｅ  １０端末が複数のＣＣを受信し得ることを示唆し、ＣＣは、Ｒｅｌｅａｓｅ  ８搬送波と同一の構造を有する可能性を有し得、または少なくとも有し得る。ＣＡが図５に示されており、２０ＭＨｚの５つの搬送波がアグリゲートされ、１００ＭＨｚの帯域幅が形成される。ＵＥなどのＣＡ対応通信デバイスに、常に活動化される１次セル（ＰＣｅｌｌ）と、動的に活動化または非活動化され得る１つまたは複数の２次セル（ＳＣｅｌｌ）とが割り当てられ得る。
【００１７】
アグリゲートされるＣＣの数、ならびに個々のＣＣの帯域幅は、ＵＬおよびＤＬについて異なり得る。対称構成は、ＤＬおよびＵＬでのＣＣの数が同一であるケースを指すのに対して、非対称構成は、ＣＣの数が異なるケースを指す。セル内で構成されるＣＣの数は、端末によって認識されるＣＣの数とは異なることに留意されたい。例えば、セルが同数のＵＬおよびＤＬ  ＣＣと共に構成されるとしても、端末は、より多くのＤＬ  ＣＣ、ＵＬ  ＣＣをサポートする。
【００１８】
ワイヤレスローカルエリアネットワーク（ＷＬＡＮ）
ＷＬＡＮの典型的な配置では、キャリアセンス多元接続衝突回避（ＣＳＭＡ／ＣＡ）が媒体アクセスのために使用され得る。これは、クリアチャネル評価（ＣＣＡ）を実施するためにチャネルが感知され得ることを意味し、チャネルがアイドル状態と宣言される場合にのみ送信が開始され得る。チャネルがビジーと宣言されるケースでは、チャネルがアイドル状態と見なされるまで、送信は基本的に延期され得る。
【００１９】
Ｌｉｓｔｅｎ  Ｂｅｆｏｒｅ  Ｔａｌｋ（ＬＢＴ）機構またはプロセスの一例に関する一般的図解が図６に示されている。Ｗｉ−Ｆｉステーション（ＳＴＡ）ＡがステーションＢにデータフレームを送信した後、ステーションＢは、１６μの遅延でステーションＡにＡＣＫフレームを送り戻す。そのようなＡＣＫフレームは、ＬＢＴ動作を実施することなくステーションＢによって送信され得る。別のステーションがそのようなＡＣＫフレーム送信と干渉することを防止するために、チャネルが占有されていると観測された後、チャネルが占有されているかどうかを再び評価する前に、ステーションは、分散協調機能フレーム間スペース（ＤＩＦＳ）と呼ばれる３４μの持続時間にわたって遅延し得る。したがって、データを送信することを望むステーションはまず、固定持続時間ＤＩＦＳにわたって媒体を感知することによってＣＣＡを実施し得る。媒体がアイドル状態である場合、ステーションは、媒体の所有権を得ることができると想定し、フレーム交換シーケンスを開始し得る。媒体がビジーである場合、ステーションは、媒体がアイドル状態になるのを待機し、ＤＩＦＳにわたって延期し、さらなるランダムバックオフ期間にわたって待機し得る。
【００２０】
上記の基本プロトコルでは、媒体が利用可能となり得るとき、複数のＷｉ−Ｆｉステーションが送信の準備ができていることがあり、その結果、コリジョンとなり得る。コリジョンを低減するために、送信をすることを意図するステーションは、ランダムバックオフカウンタを選択し、そのスロット数のチャネルアイドル時間にわたって延期し得る。ランダムバックオフカウンタは、［０，コンテンションウィンドウ（ＣＷ）］の間隔にわたる一様な分布から得られるランダム整数として選択され得る。ランダムバックオフコンテンションウィンドウのデフォルトサイズＣＷｍｉｎは、ＩＥＥＥ仕様で設定され得る。チャネルアクセスを求めて競合する多くのステーションがあり得るとき、このランダムバックオフプロトコルの下でもコリジョンは依然として生じ得ることに留意されたい。したがって、コリジョンが再発することを回避するために、ＩＥＥＥ仕様でやはり設定され得る限度ＣＷｍａｘまでステーションがその送信のコリジョンを検出するときはいつでも、バックオフコンテンションウィンドウサイズＣＷが２倍にされ得る。ステーションがコリジョンなしにデータ送信に成功するとき、ステーションは、そのランダムバックオフコンテンションウィンドウサイズをデフォルト値ＣＷｍｉｎにリセットし得る。
【００２１】
免許不要スペクトル内のＬｉｃｅｎｓｅｄ−Ａｓｓｉｓｔｅｄ  Ａｃｃｅｓｓ（ＬＡＡ）
これまでのところ、ＬＴＥによって使用されるスペクトルはＬＴＥであり得る。これは、ＬＴＥシステムが共存問題について気にかける必要がなく、スペクトル効率が最大化され得るという利点を有し得る。しかしながら、ＬＴＥに割り振られるスペクトルは限られており、そのことは、より高いスループットに対する、アプリケーションおよび／またはサービスからの増え続ける需要を満たすことができない。したがって、Ｒｅｌ−１３は、免許スペクトルに加えて免許不要スペクトルを活用するようにＬＴＥを拡張した。免許不要スペクトルは、自明のこととして、複数の異なる技術によって同時に使用され得る。したがって、ＬＴＥは、ＩＥＥＥ８０２．１１（Ｗｉ−Ｆｉ）などの他のシステムとの共存問題を考慮する必要があり得る。免許スペクトルと同様に免許不要スペクトル内でＬＴＥを運用することは、Ｗｉ−Ｆｉの性能を著しく低下させ得る。Ｗｉ−Ｆｉは、チャネルが占有されていることを検出すると送信をすることができないからである。
【００２２】
さらに、免許不要スペクトルを確実に利用するための１方式は、免許搬送波上で特に重要な制御信号およびチャネルを送信することであり得る。すなわち、図７に示されるように、ＵＥは、免許帯域内でＰＣｅｌｌに接続され、免許不要帯域内で１つまたは複数のＳＣｅｌｌに接続され得る。本明細書では、免許不要スペクトル内のＳＣｅｌｌは、Ｌｉｃｅｎｓｅｄ−Ａｃｃｅｓｓ２次セル（ＬＡ  ＳＣｅｌｌ）またはＬｉｃｅｎｓｅｄ−Ａｓｓｉｓｔｅｄ  Ａｃｃｅｓｓセルと呼ばれる。ＭｕＬＴＥｆｉｒｅと同様にスタンドアロン動作のケースでは、アップリンク制御信号送信のために免許セルは利用可能ではない。図７は、ＬＴＥキャリアアグリゲーションを使用する、免許不要スペクトルに対するＬＡＡを示す略図表現である。
【００２３】
免許不要帯域内の単一のＤＬ＋ＵＬ送信機会（ＴＸＯＰ）の最大チャネル占有時間（ＭＣＯＴ）は、地域規制制限によって限定され得る。例えば、ヨーロッパでは、ＥＮブロードバンド無線アクセスネットワーク（ＢＲＡＮ）が、以下のＭＣＯＴ規則を考慮中である。ａ）時間の１００％について利用可能なｍａｘ  ＴＸＯＰ＝６ｍｓを指定する、ｂ）最大送信６ｍｓの後、ｍａｘ  ＴＸＯＰ＝８ｍｓが時間の１００％について数百μｓ程度の最小限の休止［ＴＢＤ］μｓで利用可能であることを指定する、ｃ）時間の［ＴＢＤ３］％についてｍａｘ  ＴＸＯＰ＝１０ｍｓが利用可能であることを指定する。
【００２４】
３ＧＰＰ  ＬＡＡおよびＭｕＬＴＥｆｉｒｅでのＬＢＴ
Ｒｅｌ−１３  ＬＡＡでは、ＤＬデータ送信のためのＬＢＴが、ハイブリッド自動再送要求（ＨＡＲＱ）否定応答（ＮＡＣＫ）フィードバックに基づくＣＷ調整を伴う、Ｗｉ−Ｆｉと同様のランダムバックオフ手順の後に続き得る。ＵＬ  ＬＢＴのいくつかの側面がＲｅｌｅａｓｅ  １３の間に議論された。ＵＬ  ＬＢＴのフレームワークに関して、議論は、自己スケジューリングおよびクロスキャリアスケジューリングシナリオに焦点が当てられた。ＵＬ  ＬＢＴは、自己スケジューリングと共にＵＬ送信のための追加のＬＢＴステップを課し得る。ＵＬグラント自体がｅＮＢによるＤＬ  ＬＢＴを必要とし得るからである。次いで、ランダムバックオフが採用される場合、この欠点を克服するためにＵＬ  ＬＢＴ最大ＣＷサイズが非常に低い値に限定され得る。したがって、Ｒｅｌｅａｓｅ  １３  ＬＡＡは、自己スケジューリングのためのＵＬ  ＬＢＴが、ＤＬ発見参照信号（ＤＲＳ）と同様の、少なくとも２５μｓの単一のＣＣＡ持続時間、または延期期間１６μｓと、その後に続くＣＣＡスロットと、Ｘ＝｛３，４，５，６，７｝から選ばれた最大コンテンションウィンドウサイズとを含む延期期間２５μｓを有するランダムバックオフ方式を使用すべきことを推奨した。これらのオプションは、別の免許不要ＳＣｅｌｌによるＵＬのクロスキャリアスケジューリングのためにも適用可能であり得る。
【００２５】
免許ＰＣｅｌｌによるクロスキャリアスケジューリングを含むケースについてのショートＵＬ  ＬＢＴ手順が、さらなる研究のためにオープンのままである。考慮され得る他のオプションは、Ｗｉ−Ｆｉステーション（ＳＴＡ）によって使用される手順と同様の正式なランダムバックオフ手順である。
【００２６】
最後に、それぞれの搬送波上でＵＬ送信バーストがＤＬ送信バーストの後に続き、２つのバースト間のギャップが多くても１６μｓであるときの、ＬＢＴなしのＵＬ送信のケースが、Ｒｅｌ−１４でのさらなる研究のためにオープンのままにされた。
【００２７】
ＵＬグラントが免許不要搬送波上で送られるときのＵＬ  ＬＡＡ  ＬＢＴおよびＵＬ送信を示す一例が、図８の概略図で与えられる。図に示されるように、ｅＮＢが、免許不要帯域内で、サブフレームｎでＵＬグラントを送信する。ＵＬグラントは、図ではサブフレームｎ内の黒い矩形で表されている。ｅＮＢはまず、ＣＣＡでチャネル感知を実施する。ＵＬグラントは、免許不要帯域内でＵＥがサブフレームｎ＋４でデータを送信するためのものである。ＵＬデータ送信は、図ではサブフレームｎ＋４内の黒い矩形で表されている。ＵＬデータ送信を開始する前に、ＵＥもチャネル感知ＣＣＡを実施する必要があり得る。
【００２８】
ＭｕＬＴＥｆｉｒｅでのＰＵＣＣＨ
時間内に２つから６つのシンボルを含むショートＰＵＣＣＨ（ｓＰＵＣＣＨ）と、図９に示されるように、時間内で１サブフレームに及び得る、より長い拡張ＰＵＣＣＨ（ｅＰＵＣＣＨ）という２つの形態のＰＵＣＣＨ送信が、ＭｕＬＴＥｆｉｒｅ（ＭＦ）について規定された。図９は、２つの異なるＭＦセル内のＴＸＯＰ内のｅＰＵＣＣＨおよびｓＰＵＣＣＨの例を示す概略図である。図９では、全ＵＬサブフレームを表すために「Ｕ」が使用される。図の同一の寸法の任意の垂直の矩形はサブフレームを表す。図のより狭い幅の任意の垂直の矩形は部分サブフレームを表す。ＤＬを示すために「Ｄ」が使用される。ＬＢＴ手順は、ＴＸＯＰの先頭で１度だけ実施され、その後にＤＬバーストが続く。ｓＰＵＣＣＨは、Ｒｅｌ−１３  ＬＡＡで規定されるように、部分ＤＬサブフレームのダウンリンクパイロットタイムスロット（ＤｗＰＴＳ）部分の直後に生じ得、ｅＰＵＣＣＨは、１ｍｓ  ＵＬサブフレーム内のＰＵＳＣＨ送信と多重化され得る。ｓＰＵＣＣＨとｅＰＵＣＣＨはどちらも、ブロックインターリーブ周波数分割多元接続（Ｂ−ＩＦＤＭＡ）に基づくインターレース送信モードを利用し得る。ｅＰＵＣＣＨおよびＰＵＳＣＨを含むＵＬサブフレームはまた、物理ランダムアクセスチャネル（ＰＲＡＣＨ）プリアンブルをも含み得る。図９に示されていない他の例では、ＴＸＯＰはＵＥ側からも開始され得る。そのような他の例では、ＬＢＴはＵＥによって実施され得、ＴＸＯＰはＵＬバーストで開始し得る。
【００２９】
上記のいずれかに関するさらなる詳細は、３ＧＰＰ  ＴＳ３６．２１１、Ｖ１２．３．０（２０１４−０９）、３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｐｈｙｓｉｃａｌ  Ｃｈａｎｎｅｌｓ  ａｎｄ  Ｍｏｄｕｌａｔｉｏｎ、Ｒｅｌｅａｓｅ  １２、３ＧＰＰ  ＴＳ  ３６．２１３、Ｖ１２．３．０（２０１４−０９）、３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｌａｙｅｒ  ｐｒｏｃｅｄｕｒｅｓ、Ｒｅｌｅａｓｅ  １２、３ＧＰＰ  ＴＳ  ３６．２１２、Ｖ１２．６．０（２０１５−０３）、３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｒａｄｉｏ  Ｒｅｓｏｕｒｃｅ  Ｃｏｎｔｒｏｌ  （ＲＲＣ）、Ｒｅｌｅａｓｅ  １２、および３ＧＰＰ  ＴＳ  ３６．３２１，  Ｖ１２．１．０  （２０１４−０３）、３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｍｅｄｉｕｍ  Ａｃｃｅｓｓ  Ｃｏｎｔｒｏｌ（ＭＡＣ）  ｐｒｏｔｏｃｏｌ  ｓｐｅｃｉｆｉｃａｔｉｏｎ、Ｒｅｌｅａｓｅ  １２で見い出され得る。
【００３０】
免許不要スペクトルの使用は、送信に対する増え続ける需要に釣り合うようにワイヤレス通信ネットワークの容量を向上させるための一方式を提供し得る。しかしながら、免許不要スペクトルでの送信は共用され、チャネル感知手順を実施する必要があり得るので、送信が著しく遅延し得る。さらに、既存の方法では、アップリンク制御チャネル、例えばＬＴＥ  ＰＵＣＣＨ内の、通信デバイスの多重化をサポートする通信デバイスに対するアップリンク制御情報の免許不要スペクトルでの送信は、多重化される通信デバイスのそれぞれがチャネル感知手順を実施する必要があり得るので、信頼できないことがあり、または不必要に遅延することがある。したがって、免許不要スペクトルの使用はワイヤレス通信ネットワークの容量を向上させるための一方式を提供し得るが、免許不要スペクトルでのワイヤレス通信の効果性が、現在のところは損なわれる。
【発明の概要】
【００３１】
したがって、本明細書の実施形態の目的は、ワイヤレス通信ネットワーク内の制御情報の送信を改善することである。本明細書の実施形態の特定の目的は、ワイヤレス通信ネットワーク内の免許不要スペクトルでのアップリンク制御チャネルの送信を改善することである。
【００３２】
本明細書の実施形態の第１の態様によれば、第１の通信デバイスによって実施される方法によって目的は達成される。第１の通信デバイスはワイヤレス通信ネットワーク内で動作する。第１の通信デバイスは、免許不要帯域内のアップリンク制御チャネル上で送信するための１つまたは複数のパラメータを決定する。送信は、ワイヤレス通信ネットワーク内で動作する第２の通信デバイスに対するものである。１つまたは複数のパラメータは、チャネル感知期間の持続時間の指示を含む。第１の通信デバイスは、決定した１つまたは複数のパラメータを適用することによって、アップリンク制御チャネル上で第２の通信デバイス１０２に送信をする。
【００３３】
本明細書の実施形態の第２の態様によれば、第２の通信デバイスによって実施される方法によって目的は達成される。第２の通信デバイスはワイヤレス通信ネットワーク内で動作する。第２の通信デバイスは、第１の通信デバイスが免許不要帯域内のアップリンク制御チャネル上で第２の通信デバイスに送信をするための１つまたは複数のパラメータを決定する。第１の通信デバイスはワイヤレス通信ネットワーク内で動作する。１つまたは複数のパラメータは、チャネル感知期間の持続時間の指示を含む。第２の通信デバイスは、決定した１つまたは複数のパラメータの第１の通信デバイスへの送信を開始する。
【００３４】
本明細書の実施形態の第３の態様によれば、第１の通信デバイスによって目的は達成される。第１の通信デバイスは、ワイヤレス通信ネットワーク内で動作するように構成される。第１の通信デバイスは、免許不要帯域内のアップリンク制御チャネル上で送信をするための１つまたは複数のパラメータを決定するようにさらに構成される。送信は第２の通信デバイスに対するものであり、第２の通信デバイスは、ワイヤレス通信ネットワーク内で動作するように構成される。１つまたは複数のパラメータはチャネル感知期間の持続時間の指示を含む。第１の通信デバイスは、決定した１つまたは複数のパラメータを適用することによって、アップリンク制御チャネル上で第２の通信デバイスに送信をするようにさらに構成される。
【００３５】
本明細書の実施形態の第４の態様によれば、ワイヤレス通信ネットワーク内で動作するように構成された第２の通信デバイスによって目的は達成される。第２の通信デバイスは、第１の通信デバイスが免許不要帯域内のアップリンク制御チャネル上で第２の通信デバイスに送信をするための１つまたは複数のパラメータを決定するようにさらに構成される。第１の通信デバイスは、ワイヤレス通信ネットワーク内で動作するように構成される。１つまたは複数のパラメータはチャネル感知期間の持続時間の指示を含む。第２の通信デバイスはまた、決定した１つまたは複数のパラメータの第１の通信デバイスへの送信を開始するように構成される。
【００３６】
本明細書の実施形態の第５の態様によれば、コンピュータプログラムによって目的は達成される。コンピュータプログラムは、少なくとも１つのプロセッサ上で実行されるとき、第１の通信デバイスによって実施される方法を少なくとも１つのプロセッサに実施させる命令を含む。
【００３７】
本明細書の実施形態の第６の態様によれば、コンピュータ可読記憶媒体によって目的は達成される。コンピュータ可読記憶媒体は、少なくとも１つのプロセッサ上で実行されるとき、第１の通信デバイスによって実施される方法を少なくとも１つのプロセッサに実施させる命令を含むコンピュータプログラムを記憶する。
【００３８】
本明細書の実施形態の第７の態様によれば、コンピュータプログラムによって目的は達成される。コンピュータプログラムは、少なくとも１つのプロセッサ上で実行されるとき、第２の通信デバイスによって実施される方法を少なくとも１つのプロセッサに実施させる命令を含む。
【００３９】
本明細書の実施形態の第８の態様によれば、コンピュータ可読記憶媒体によって目的は達成される。コンピュータ可読記憶媒体は、少なくとも１つのプロセッサ上で実行されるとき、第２の通信デバイスによって実施される方法を少なくとも１つのプロセッサに実施させる命令を含むコンピュータプログラムを記憶する。
【００４０】
第１の通信デバイスが、免許不要帯域内のアップリンク制御チャネル上で送信をするための１つまたは複数のパラメータを決定し、次いで、決定した１つまたは複数のパラメータを適用することによってアップリンク制御チャネル上で送信をすることにより、時間−周波数リソースのより効率的な使用、およびレイテンシの削減と共に、送信を実施することが可能となる。これは、１つまたは複数のパラメータがチャネル感知期間の持続時間の指示を含むからである。したがって、例えば、アップリンク制御チャネル上のアップリンク制御情報のあらゆる送信のためには効率的ではなく、または十分ではないことがある、事前構成された、チャネル感知期間の持続時間の固定値を適用する代わりに、第１の通信デバイスは、アップリンク制御チャネル上の送信の際に、時間−周波数リソースのより効率的な使用、およびレイテンシの削減のために最適であり得る１つまたは複数のパラメータを決定し得る。したがって、時間−周波数リソースのより効率的な使用、およびレイテンシの削減と共に送信が実施されるので、ワイヤレス通信ネットワーク内の免許不要スペクトルでのアップリンク制御チャネルの送信が改善される。
【００４１】
本明細書の実施形態の例が、添付の図面を参照しながら、以下の説明に従って、より詳細に説明される。
【図面の簡単な説明】
【００４２】
【図１】基本ＬＴＥ  ＤＬ物理リソースを示す概略図である。
【図２】ＬＴＥ時間領域構造を示す概略図である。
【図３】ＬＴＥでの通常のＤＬサブフレームの一例を示す概略図である。
【図４】Ｒｅｌ−１２  ＵＬサブフレームの一例を示す概略図である。
【図５】ＣＡを示す概略図である。
【図６】Ｗｉ−ＦｉでのＬＢＴ機構の一例を示す概略図である。
【図７】ＬＴＥ  ＣＡを使用する、免許不要スペクトルに対するＬＡＡを示す概略図である。
【図８】ＵＬ  ＬＡＡ  ＬＢＴの一例を示す概略図である。
【図９】ＴＸＯＰ内のｅＰＵＣＣＨおよびｓＰＵＣＣＨの例を示す概略図である。
【図１０】本明細書の実施形態によるワイヤレス通信ネットワークの実施形態を示す概略ブロック図である。
【図１１】本明細書の実施形態による、第１の通信デバイスでの方法の実施形態を示すフローチャートである。
【図１２】ＴＸＯＰ限度６ｍｓの外側のｅＰＵＣＣＨの一例を示す概略図である。
【図１３】本明細書の実施形態による、第２の通信デバイスでの方法の一例を示すフローチャートである。
【図１４】本明細書の実施形態による、第１の通信デバイスの実施形態を示す概略ブロック図である。
【図１５】本明細書の実施形態による、第２の通信デバイスの実施形態を示す概略ブロック図である。
【図１６】本明細書の実施形態に関する、第１の通信デバイスでの方法の一例を示すフローチャートである。
【図１７】本明細書の実施形態に関する、第２の通信デバイスでの方法の一例を示すフローチャートである。
【発明を実施するための形態】
【００４３】
用語
以下の一般的な用語が実施形態で使用され、以下で詳述される。
【００４４】
無線ネットワークノード：いくつかの実施形態では、無線ネットワークノードという非限定的な用語がより一般的に使用され、ＵＥにサーブし、かつ／または別のネットワークノードもしくはネットワーク要素に接続される任意のタイプのネットワークノード、あるいはＵＥがそこから信号を受信する任意の無線ノードを指す。無線ネットワークノードの例は、Ｎｏｄｅ  Ｂ、基地局（ＢＳ）、ＭＳＲ  ＢＳなどのマルチスタンダード無線（ＭＳＲ）ノード、ｅＮｏｄｅＢ、ネットワークコントローラ、無線ネットワークコントローラ（ＲＮＣ）、基地局コントローラ、リレー、リレーを制御するドナーノード、送受信基地局（ＢＴＳ）、アクセスポイント（ＡＰ）、送信ポイント、送信ノード、リモートラジオユニット（ＲＲＵ）、リモート無線ヘッド（ＲＲＨ）、分散アンテナシステム（ＤＡＳ）内のノードなどである。
【００４５】
ネットワークノード：いくつかの実施形態では、「ネットワークノード」という、より一般的な用語が使用され、少なくとも無線ネットワークノードと通信する、任意のタイプの無線ネットワークノードまたは任意のネットワークノードに対応し得る。ネットワークノードの例は、前述の任意の無線ネットワークノード、コアネットワークノード、例えばモバイルスイッチングセンタ（ＭＳＣ）、モビリティ管理エンティティ（ＭＭＥ）など、運用保守（Ｏ＆Ｍ）、運用サポートシステム（ＯＳＳ）、自己組織化ネットワーク（ＳＯＮ）、ポジショニングノード、例えばエボルブドサービングモバイルロケーションセンタ（Ｅ−ＳＭＬＣ）、ドライブテストの最小化（ＭＤＴ）などである。
【００４６】
ユーザ機器：いくつかの実施形態では、ユーザ機器（ＵＥ）という非限定的な用語が使用され、セルラまたは移動体通信システム内の無線ネットワークノードと通信する任意のタイプのワイヤレスデバイスを指す。ＵＥの例は、ターゲットデバイス、デバイス−デバイスＵＥ、マシンタイプＵＥ、またはマシン−マシン通信が可能なＵＥ、ＰＤＡ、ｉＰａｄ、タブレット、移動端末、スマートフォン、ラップトップ埋め込み機器（ＬＥＥ）、ラップトップ組込み機器（ＬＭＥ）、ＵＳＢドングルなどである。
【００４７】
本明細書の実施形態は、マルチポイントキャリアアグリゲーションシステムにも適用される。
【００４８】
本明細書の実施形態を例示するために本開示では３ＧＰＰ  ＬＴＥの用語が使用されているが、このことを、本明細書の実施形態の範囲を前述のシステムのみに限定すると理解すべきではない。ＬＡＡ用のＬＴＥまたは免許不要スペクトル（ＬＴＥ−Ｕ）内のスタンドアロンＬＴＥと同様の要件を有する他のワイヤレスシステムも、本開示内でカバーされる概念を活用することから恩恵を受け得る。
【００４９】
本明細書で開示される実施形態の開発の部分として、まず既存の方法に関連する問題が識別され、論じられる。
【００５０】
規制要件、およびＴＸＯＰ境界に対するＰＵＣＣＨの発生に応じて、様々なＵＬ  ＬＢＴ方式がｓＰＵＣＣＨおよびｅＰＵＣＣＨ送信のために適用可能であり得る。例えば、ａ）２５μｓ持続時間のワンショットＣＣＡ、またはｂ）可変バックオフ持続時間を有するランダムバックオフＬＢＴという２つの形態のＵＬ  ＬＢＴが、ｅＰＵＣＣＨに適用可能であり得る。ＬＢＴなしも適用可能であり得る。ＴＸＯＰ持続時間および境界はまた、ＴＸＯＰ全体にわたってＤＬまたはＵＬ受信のためにスケジューリングされていないＵＥに透過的であり得る。さらに、ＰＵＳＣＨとは異なり、ＰＵＣＣＨ送信は、ｅＮＢによって明示的にスケジューリングされないことがあり、したがってＵＬグラントを介するＬＢＴパラメータの動的指示は適用可能でないことがある。従来の方法は、免許不要スペクトル内で送信をするとき、アップリンク制御チャネル上で通信デバイスがどのように情報を送信すべきかを確立しない。ｓＰＵＣＣＨおよびｅＰＵＣＣＨ  ＬＢＴ方式の詳細、およびｅＮＢおよびＵＥが適用可能なＬＢＴプロセスに関する共通の理解にどのように達し得るかは、ＭｕＬＴＥｆｉｒｅ  Ａｌｌｉａｎｃｅ  Ｆｏｒｕｍでの議論についてオープンにされた。ショートフレーム間スペース（ＳＩＦＳ）の適用などの、例えばチャネル感知なしの実施の結果、他の送信とのコリジョンが生じ得る。あるいは、免許不要スペクトル内のアップリンク制御チャネル上のすべての送信に対する固定の事前定義されたチャネル感知期間の実施の結果、非常に長いチャネル感知の実施の結果として、不必要な遅延が生じ得る。
【００５１】
さらに、現在のところ、チャネル感知、例えば送信前のプロトコルであるＬＢＴを実施する必要のために、同一の単位の時間−周波数リソース、例えばサブフレーム内でデータを受信した複数のワイヤレスデバイスからのアップリンク制御チャネル上の送信が互いに衝突し、または不必要に遅延し得る。次いで、多重化されたワイヤレスデバイスからのアップリンク制御チャネル上の送信が互いにブロックし得る。この結果、レイテンシの増大、容量の低下、および送信された通信の品質の損失となる。
【００５２】
本明細書の実施形態は、一般にはＰＵＣＣＨ  ＬＢＴのための方法に関するものと理解され得る。一般には、本明細書の実施形態は、免許不要帯域内のＬＴＥ、Ｌｉｓｔｅｎ−ｂｅｆｏｒｅ−ｔａｌｋ、およびＭｕＬＴＥｆｉｒｅに関するものと理解され得る。より具体的には、本明細書の実施形態は、免許不要帯域内のＰＵＣＣＨ送信のためのＬＢＴパラメータを構成し、示すための方法に関するものであり得る。ＰＵＣＣＨ送信、またはＰＵＣＣＨの送信（ｔｒａｎｓｍｉｓｓｉｏｎ  ｏｆ  ＰＵＣＣＨ）、ＰＵＣＣＨを送信すること、ＰＵＣＣＨの送信（ｔｒａｎｓｍｉｓｓｉｏｎ  ｏｆ  ｔｈｅ  ＰＵＣＣＨ）、または類似の表現は、本明細書ではＰＵＣＣＨ上の送信を指すと理解され得る。本明細書の別の特定の実施形態は、ＭｕＬＴＥｆｉｒｅ、Ｒｅｌ−１４  ＬＡＡ、および免許不要帯域内のＬＴＥの他のバージョンなどの、システム内のＰＵＣＣＨ  ＬＢＴに関するものであり得る。提案される変更はＬ１およびＬ２に影響を及ぼし得る。
【００５３】
次に、例が図示される添付の図面を参照しながら、実施形態が以下でより完全に説明される。本セクションでは、本明細書の実施形態が、いくつかの例示的実施形態によってより詳細に示される。本明細書の例示的実施形態は相互に排他的ではないことに留意されたい。一実施形態からの構成要素は、暗黙のうちに、別の実施形態に存在することが想定され得、他の例示的実施形態でそうした構成要素がどのように使用され得るかは当業者には明らかであろう。
【００５４】
ｅＮｏｄｅＢやＵＥなどの用語は非限定的なものと見なされるべきであり、２つの間の一定の階層関係を特に示唆するわけではないことにも留意されたい。一般には「ｅＮｏｄｅＢ」はデバイス１と見なされ得、「ＵＥ」はデバイス２と見なされ得、これらの２つのデバイスは何らかの無線通信路を介して互いに通信する。
【００５５】
一般には、本明細書の「第１」、「第２」、および／または「第３」は、異なるエンティティを示すための任意の方式であると理解され得、それらが修飾する名詞に累積的または経時的特徴を与えないと理解され得る。
【００５６】
図１０は、セルラ無線システム、セルラネットワーク、またはワイヤレス通信システムとも呼ばれることのある、本明細書の実施形態が実装され得るワイヤレス通信ネットワーク１００の一例を示す。ワイヤレス通信ネットワーク１００は、例えば、Ｌｏｎｇ−Ｔｅｒｍ  Ｅｖｏｌｕｔｉｏｎ（ＬＴＥ）、例えばＬＴＥ周波数分割複信（ＦＤＤ）、ＬＴＥ時分割複信（ＴＤＤ）、ＬＴＥ半２重周波数分割複信（ＨＤ−ＦＤＤ）、免許不要帯域内で動作するＬＴＥ、広帯域符号分割多元接続（ＷＣＤＭＡ）、５Ｇシステム、またはＬＡＡ用のＬＴＥもしくはスタンドアロンＬＴＥ  ｉｎ  Ｕｎｌｉｃｅｎｓｅｄ（ＬＴＥ−Ｕ）と類似の要件を有する任意のセルラネットワークもしくはシステム、例えばＭＦシステムなどのネットワークでよい。したがって、本明細書の実施形態を例示するために本開示では３ＧＰＰ  ＬＴＥの用語が使用され得るが、このことを、本明細書の実施形態の範囲を前述のシステムのみに限定すると理解すべきではない。
【００５７】
ワイヤレス通信ネットワーク１００は、第１の通信デバイス１０１、第２の通信デバイス１０２などの複数の通信デバイスを備える。第１の通信デバイス１０１は、第１の通信デバイスのグループ１１０内に含まれ得る。第１の通信デバイスのグループ１１０は複数の第１の通信デバイスを備え得る。図１０の非限定的な例では、第１の通信デバイスのグループ１１０は第１の通信デバイス１０１を備え、第１の通信デバイス１０１は、第１の第１の通信デバイス１０１、第２の第１の通信デバイス１１２、および第３の第１の通信デバイス１１３と呼ばれることがある。第１の通信デバイス１０１、第２の通信デバイス１０２のいずれか、および第１の通信デバイスのグループ１１０内の第１の通信デバイスのいずれかは、以下で説明するネットワークノード１２０などのネットワークノード、または以下で説明するワイヤレスデバイス１３０などのワイヤレスデバイスでよい。第１の通信デバイス１０１は第２の通信デバイス１０２とは異なる。通常、第１の通信デバイス１０１、ならびに第１の通信デバイスのグループ１１０内の他の第１の通信デバイスのいずれかは、以下で説明するワイヤレスデバイス１３０などのワイヤレスデバイスとなり、第２の通信デバイス１０２は、ネットワークノード１２０などのネットワークノードとなる。これは、図１０に示される非限定的な特定の例に対応する。デバイス−デバイス（Ｄ２Ｄ）通信では、第１の通信デバイスのグループ１１０内の第１の通信デバイスのすべてと、第２の通信デバイス１０２とは異なるワイヤレスデバイスでよい。例えば、第１の通信デバイスのグループ１１０内の第１の通信デバイスのそれぞれは、スレーブワイヤレスデバイスでよく、第２の通信デバイス１０２はマスタワイヤレスデバイスでよい。
【００５８】
ワイヤレス通信ネットワーク１００は複数のネットワークノードを備え得、そのうちのネットワークノード１２０が図１０に示されている。ネットワークノード１２０は、無線基地局、例えばｅＮＢ、ｅＮｏｄｅＢ、またはＨｏｍｅ  Ｎｏｄｅ  Ｂ、Ｈｏｍｅ  ｅＮｏｄｅ  Ｂ、またはワイヤレス通信ネットワーク１００内のユーザ機器やマシン型通信デバイスなどのワイヤレスデバイスにサーブすることのできる任意の他のネットワークノードなどの送信ポイントでよい。ワイヤレス通信ネットワーク１００は、いくつかの実施形態ではセルエリアに分割され得る地理的エリアをカバーし、各セルエリアはネットワークノードによってサーブされるが、１つのネットワークノードが１つまたはいくつかのセルをサーブし得る。図１０に示される非限定的な例では、ネットワークノード１２０は第１のセル１４１にサーブし、第１のセル１４１は１次セルでよい。１次セル１４１は通常は免許スペクトル内にある。図１０では、ネットワークノード１２０はまた、第２のセル１４２、第３のセル１４３、および第４のセル１４４にサーブする。第２のセル１４２、第３のセル１４３、および第４のセル１４４のそれぞれは、上記で規定されるように、本明細書ではｌｉｃｅｎｓｅｄ−ａｓｓｉｓｔｅｄアクセス２次セルとも呼ばれるｌｉｃｅｎｓｅｄ−ａｓｓｉｓｔｅｄアクセスセルでよい。第２のセル１４２、第３のセル１４３、および第４のセル１４４のそれぞれは免許不要スペクトル内にある。ネットワークノード１２０は、送信出力、およびそれによってセルサイズにも基づいて、例えば、マクロｅＮｏｄｅＢ、ｈｏｍｅ  ｅＮｏｄｅＢ、ピコ基地局などの異なるクラスでよい。通常、ワイヤレス通信ネットワーク１００は、それぞれのネットワークノードによってサーブされる、第１のセル１３１、第２のセル１４２、第３のセル１４３、および第４のセル１４４と同様の、より多くのセルを備え得る。このことは、簡単のために図１０には示されていない。図１０に示されるものとは別の例では、ワイヤレス通信ネットワーク１００は非セルラシステムであり、ネットワークノード１２０はサービングビームで受信側ノードにサーブし得る。ネットワークノード１２０は１つまたはいくつかの通信技術をサポートし得、その名前は、使用される技術および用語に依存し得る。３ＧＰＰ  ＬＴＥでは、ｅＮｏｄｅＢ、さらにはｅＮＢと呼ばれることのあるネットワークノード１２０は、１つまたは複数のコアネットワークに直接的に接続され得る。
【００５９】
本明細書ではユーザ機器またはＵＥとも呼ばれるワイヤレスデバイス１３０は、ワイヤレス通信ネットワーク１００内に配置され得る。ワイヤレスデバイス１３０は、単にいくつかのさらなる例を挙げると、例えば移動端末、ワイヤレス端末、および／または移動局、携帯電話、セルラ電話、またはワイヤレス機能付きのラップトップとしても知られる、ＵＥなどのワイヤレス通信デバイスである。ワイヤレスデバイス１３０は、例えば、ＲＡＮを介して、サーバ、ラップトップ、携帯情報端末（ＰＤＡ）、ワイヤレス機能付きのタブレットとも呼ばれることのあるタブレットコンピュータ、マシンツーマシン（Ｍ２Ｍ）デバイス、プリンタやファイル記憶デバイスなどのワイヤレスインターフェースを備えるデバイス、モデム、または通信システム内のワイヤードリンクもしくは無線リンクを介して通信することのできる任意の他の無線ネットワークユニットなどの別のエンティティと、音声および／またはデータを通信するように動作可能にされた、ポータブルモバイルデバイス、ポケット格納可能モバイルデバイス、ハンドヘルドモバイルデバイス、コンピュータに含まれるモバイルデバイス、または車載モバイルデバイスでよい。ワイヤレスデバイス１３０は、ワイヤレス通信ネットワーク１００内でワイヤレスに通信するように動作可能にされる。通信は、例えば、ワイヤレス通信ネットワーク１００内に含まれる、ＲＡＮ、および場合によっては１つまたは複数のコアネットワークを介して実施され得る。
【００６０】
第１の通信デバイス１０１は、第１のセル１４１内の第１の無線リンク１５１を介して、および第２のセル１４２内の第２の無線リンク１５２を介して、第２の通信デバイス１０２とワイヤレス通信ネットワーク１００内で通信するように構成される。第１の通信デバイスのグループ１１０内の他の第１の通信デバイスのそれぞれ、例えば第２の第１の通信デバイス１１２、および第３の第１の通信デバイス１１３は、第１のセル１４１内のそれぞれの第１の無線リンクを介して、ならびにそれぞれ第３のセル１４３および第４のセル１４４内のそれぞれの第２の無線リンクを介して、第２の通信デバイス１０２と通信し得る。このことは、図を簡略化するために図１０には示されていない。
【００６１】
次に、図１１に示されるフローチャートを参照しながら、第１の通信デバイス１０１によって実施される方法の実施形態が説明される。第１の通信デバイス１０１はワイヤレス通信ネットワーク１００内で動作する。
【００６２】
方法の概要がまず説明される。後に、特定の例に伴うさらに詳細な説明が与えられる。
【００６３】
動作１１０１
第１の通信デバイス１０１と第２の通信デバイス１０２との間の通信中のある時点で、第１の通信デバイス１０１は、アップリンク制御チャネル上、および免許不要帯域上で第２の通信デバイス１０２に制御情報を送る必要があり得る。免許不要帯域は、本明細書では免許不要スペクトルとも呼ばれることがある。アップリンク制御チャネルは、ａ）物理アップリンク制御チャネル（ＰＵＣＣＨ）、ｂ）ｓＰＵＣＣＨ、およびｃ）拡張ＰＵＣＣＨ（ｅＰＵＣＣＨ）のうちの少なくとも１つでよい。第１の通信デバイス１０１が免許不要帯域内のアップリンク制御チャネル上で、例えば制御情報を送信するために、第１の通信デバイス１０１はまず、期間中にチャネル感知を実施する必要があり得る。チャネル感知は、例えばＬｉｓｔｅｎーｂｅｆｏｒｅ−ｔａｌｋ（ＬＢＴ）手順でよい。チャネル感知を実施すると共にシステム性能を最適化するために、この動作では、第１の通信デバイス１０１は、ワイヤレス通信ネットワーク１００内で動作する第２の通信デバイス１０２に、免許不要帯域内のアップリンク制御チャネル上で送信するための１つまたは複数のパラメータを決定する。１つまたは複数のパラメータは、チャネル感知期間の持続時間の指示を含む。１つまたは複数のパラメータは、例えば様々なチャネル感知方式のうちのチャネル感知方式に対応する、またはチャネル感知方式を定義する１つまたは複数の変数と理解され得る。例えば、既存の規定によれば、ｅＰＵＣＣＨについて、適用可能なＵＬ  ＬＢＴ方式の例は、１）ｅＰＵＣＣＨが多くても１６μｓのギャップでＤＬバーストの後に続く場合、ＵＬ  ＬＢＴなし、２）少なくとも２５μｓの持続時間のワンショットＣＣＡ、および３）可変バックオフ持続時間を有するランダムバックオフＬＢＴでよい。別の例では、既存の規定によれば、ｓＰＵＣＣＨについて、適用可能なＵＬ  ＬＢＴ方式の例は、１）ＥＴＳＩ  ＥＮ  ＢＲＡＮ内のショート制御シグナリング規則に基づいて、ＵＬ  ＬＢＴなし、および２）少なくとも２５μｓ持続時間のワンショットＣＣＡでよい。
【００６４】
第１の通信デバイス１０１が、例えばチャネル感知期間の事前構成された持続時間を適用するのではなく、１つまたは複数のパラメータを決定することにより、第１の通信デバイス１０１はシステム性能を最適化し得る。第１の通信デバイス１０１は、例えばＴＸＯＰ内、またはＴＸＯＰの後の、アップリンク制御チャネル上の送信の時間にチャネル感知持続時間を十分に適合させ、または送信される情報のタイプ、例えばＨＡＲＱ情報と、スケジューリング要求（ＳＲ）とを十分に適合させ得るからである。
【００６５】
指示は、ａ）ランダムバックオフカウンタの値、およびｂ）事前構成された値の適合（ａｄａｐｔａｔｉｏｎ）の一方を含み得る。オプションｂ）の非限定的な例として、指示は、一定のセットからのＬＢＴバックオフカウンタを示すための３ビット、またはＵＥが固定持続時間、例えば２５μｓのショートＬＢＴを適用し得るか、それとも完全な、指数関数的な、Ｃａｔ．４、ＬＢＴを適用し得るかを示すための１ビットでよい。いくつかの特定の実施形態では、１つまたは複数のパラメータは、アップリンク制御チャネル、例えばＰＵＣＣＨ送信の第１のグループのいずれかについてのＣａｔ  ４ランダムバックオフＬＢＴの使用に関係し得る。オプションａ）の非限定的な例として、事前構成された値の適合としての指示は、例えば、サブフレームＮ＋４などのデフォルト仮定からのデルタでよい。
【００６６】
１つまたは複数のパラメータを決定することは、ａ）例えば第１の無線リンク１５１を介して、または第２の無線リンク１５２を介して、第２の通信デバイス１０２から１つまたは複数のパラメータを受け取ること、およびｂ）１つまたは複数のパラメータを自律的に決定すること、例えば計算することのうちの１つを含み得る。
【００６７】
いくつかの実施形態では、１つまたは複数のパラメータを決定すること（１１０１）は、ａ）アップリンク制御チャネルに対応するダウンリンクまたはアップリンク割当て、ｂ）マスタ情報ブロック（ＭＩＢ）、ｃ）システム情報ブロック（ＳＩＢ）、ｄ）共通物理ダウンリンク制御チャネル（ＣＰＤＣＣＨ）、ｅ）ダウンリンク（ＤＬ）メッセージ内の未使用物理ハイブリッド自動再送要求指示チャネル（ＰＨＩＣＨ）領域、およびｆ）準静的構成のうちの１つにおいて、第２の通信デバイス１０２から１つまたは複数のパラメータを受け取ることを含み得る。
【００６８】
アップリンク制御チャネルの送信の時間は、例えば、最大チャネル占有時間（ＭＣＯＴ）内、またはＭＣＯＴの後でよい。背景セクションで説明したように、このことは、規定に従って、送信のためにＴＸＯＰが利用可能であり得る時間の割合を指示し得る。したがって、いくつかの実施形態では、１つまたは複数のパラメータを決定すること（１１０１）は、アップリンク制御チャネル上の送信の時間に基づき得る。例えば、ＭＣＯＴ内、またはＭＣＯＴの後である。
【００６９】
ＴＸＯＰ持続時間および境界は第１の通信デバイス１０１に透過的であり得るので、いくつかの実施形態では、１つまたは複数のパラメータを決定すること（１１０１）は、第１の通信デバイス１０１が１つまたは複数のパラメータを自律的に決定することを含み得、決定すること（１１０１）は、第１の通信デバイス１０１によるＴＸＯＰの推定に基づいてＬｉｓｔｅｎ  Ｂｅｆｏｒｅ  Ｔａｌｋ（ＬＢＴ）パラメータを決定することを含み得る。例えば、第１の通信デバイス１０１は、その中で初期信号またはＣＲＳまたはＣＰＤＣＣＨを検出し得る第１のサブフレームに基づいて、ＴＸＯＰの開始を推定し、ＣＰＤＣＣＨ内で示されるＤＬ／ＵＬ割振りに基づいて、ＴＸＯＰの終了を推定し得る。ＣＰＤＣＣＨは、次回のサブフレームのＤＬ／ＵＬ割振りをシグナリングために第２の通信デバイス１０２によって使用され得、ＣＰＤＣＣＨはまた、１つまたは複数のパラメータに関する情報を搬送するために使用され得る。
【００７０】
いくつかの実施形態では、第１の通信デバイス１０１は、ＤＬ活動との関連なしにＵＬ制御チャネル上で送信したいことがある。例えば、これは、第２の通信デバイス１０２によって割り振られないＳＲを第１の通信デバイス１０１が送信したいことがあるときに生じ得る。ＤＬ活動がアップリンク制御チャネルに関連付けられ得ない実施形態では、第１の通信デバイス１０１が前の送信機会（ＴＸＯＰ）の後にフルランダムバックオフを完了したとき、持続時間は、単一のクリアチャネル評価（ＣＣＡ）であると決定され得る。そのようにするとき、第１の通信デバイス１０１は、より長いチャネル感知期間を実施することを回避することによって時間およびリソースを節約し得る。これは、負荷が低く、媒体が大部分はアイドル状態であり得る場合に特に有用であり得る。
【００７１】
いくつかの実施形態では、第１の通信デバイスのグループ１１０などの複数のワイヤレスデバイスが、同一の単位の時間−周波数リソース、例えばサブフレーム内でデータを受信していることがある。これらのデバイスがそれぞれのアップリンク制御チャネルを送信しようと試み得るとき、チャネル感知を実施する必要のために、互いに衝突し、または不必要に遅延し得る。第１の通信デバイスのグループ１１０内の第１の通信デバイスが互いのチャネル感知手順をブロックすることを回避するために、いくつかの実施形態では、１つまたは複数のパラメータは、同一の時間リソース内のアップリンク制御チャネルの第１のグループ上で送信をする第１の通信デバイスのグループ１１０について同一でよい。第１の通信デバイスのグループ１１０は第１の通信デバイス１０１を含み得る。第１の通信デバイスのグループ１１０はワイヤレス通信ネットワーク１００内で動作中であり得る。決定された１つまたは複数のパラメータは、第１の通信デバイスのグループ１１０がチャネル感知を実施すべきであると同時に、例えばそのチャネル感知期間が時間的に位置合せされることの指示を含み得る。この結果として、持続時間は第１の通信デバイスのグループ１１０について同一でよく、したがって第１の通信デバイスのグループ１１０内の第１の通信デバイスが互いのチャネル感知手順をブロックすることが回避され得る。同一の時間リソース内のアップリンク制御チャネルの第１のグループを送信する第１の通信デバイスのグループ１１０について持続時間が同一であることは、第１の通信デバイスのグループ１１０内の第１の通信デバイスのそれぞれが同一の時間リソース内のそれぞれのアップリンク制御チャネルを送信することを意味すると理解され得る。このことは、アップリンク制御チャネルの第１のグループが多重化されると理解され得る。時間リソースは、例えばＯＦＤＭシンボルでよい。
【００７２】
いくつかの実施形態では、第２の通信デバイス１０２からの１つまたは複数のパラメータの受信がＭＩＢおよびＳＩＢの一方で行われ得、１つまたは複数のパラメータが、同一の時間リソース内のアップリンク制御チャネルの第１のグループ上で送信をする第１の通信デバイスのグループ１１０内の他の第１の通信デバイス１１２、１１３から、アップリンク制御チャネルおよび／またはアップリンク共有チャネルと同一の単位の時間−周波数リソース内で物理ランダムアクセスチャネル（ＰＲＡＣＨ）プリアンブルを送信するために第１の通信デバイス１０１によって使用され得る。第１の通信デバイスのグループ１１０は第１の通信デバイス１０１を含み得る。時間−周波数リソースの単位は、例えばサブフレームでよい。アップリンク共有チャネルは、例えばＰＵＳＣＨでよい。
【００７３】
例えば、いくつかの実施形態では、１つまたは複数のパラメータは、同一の時間インスタンスで複数のアップリンク制御情報を送信するために、例えば複数のＡＣＫ／ＮＡＣＫをバンドルするために、時間領域においてアップリンク制御チャネル上で送信をすることの延期（ｄｅｆｅｒｒａｌ）をさらに含み得る。
【００７４】
いくつかの実施形態では、アップリンク制御チャネル上で送信をすることが複数の搬送波内でよく、１つまたは複数のパラメータは、複数の搬送波の隣接する搬送波上のアップリンク（ＵＬ）送信が完了するまでの、複数の搬送波のうちの１つにおいてアップリンク制御チャネル上で送信をすることの延期をさらに含み得る。
【００７５】
別の態様は動的スケジューリング要求（Ｄ−ＳＲ）多重化に対処する。ネットワーク、例えば第２の通信デバイス１０２は、ｓＰＵＣＣＨ機会のみでＤ−ＳＲを送り、ｅＰＵＣＣＨでは送らないように構成し得る。したがって、すべてのＤ−ＳＲは一緒に閉じ込められ得、ＨＡＲＱ／ＣＳＩフィードバックおよびユーザデータを搬送するｅＰＵＣＣＨ／ＰＵＳＣＨサブフレームとの間のＬＢＴパラメータでの競合を引き起こし得ない。ｓＰＵＣＣＨリソースは、ｅＰＵＣＣＨおよびＰＵＳＣＨとサブフレームを共有し得ないからである。
【００７６】
あるいは、ネットワークは、ＵＬサブフレームの最後のシンボル内のＳＲＳを用いる、Ｄ−ＳＲを暗黙的に示すためのＳＲＳの使用を構成し得る。セルのＳＲＳサブフレーム構成に基づいて、それらのサブフレームでＰＵＳＣＨまたはｅＰＵＣＣＨを送信する、第１の通信デバイスのグループ１１０内の第１の通信デバイス、例えばＵＥが、最後のシンボルを、恐らくは一定のインターレース上のみでパンクチャし得る。Ｄ−ＳＲのみについてのギャップが残り、すなわち、第１の１３シンボル内にＰＵＳＣＨのないＳＲＳ送信となり、Ｄ−ＳＲのみとＰＵＳＣＨ／ｅＰＵＣＣＨ  ＵＥとの間のサブフレームの開始でＬＢＴブロッキングが存在し得ない。
【００７７】
上記によれば、動的スケジューリング要求（Ｄ−ＳＲ）が、ａ）ショート物理アップリンク制御チャネル（ｓＰＵＣＣＨ）機会のみで、およびｂ）パンクチュアドサウンディング参照信号（ＳＲＳ）に対応する時間−周波数リソースで、の一方で送られるように構成され得る。
【００７８】
動作１１０２
この動作では、第１の通信デバイス１０１は、決定した１つまたは複数のパラメータを適用することによって、第２の通信デバイス１０２にアップリンク制御チャネル上で送信し、例えば送る。すなわち、第１の通信デバイス１０１は、チャネル感知期間の決定された持続時間について免許不要帯域内でチャネル感知を実施した後、アップリンク制御チャネル上で、例えば制御情報を送信し得る。
【００７９】
送信は、例えば第２の無線リンク１５２を介して実施され得る。
【００８０】
次に、本明細書の実施形態による方法が、特定の非限定的な例と共にさらに説明される。以下の議論では、第１の通信デバイス１０１の例示的な例としてＵＥが使用され、第２の通信デバイス１０２の例示的な例としてＬＴＥ  ｅＮＢが使用される。ＵＥは、第２の第１の通信デバイス１０２、および第３の第１の通信デバイス１１３の例示的な例としても使用される。同様に、アップリンク制御チャネルの例示的な例としてＰＵＣＣＨが使用され、チャネル感知の例示的な例としてＬＢＴが使用される。１つまたは複数のパラメータの一例としてＬＢＴパラメータが使用される。アップリンク制御情報の一例としてＨＡＲＱ  ＡＣＫ／ＮＡＣＫフィードバックが使用される。
【００８１】
本明細書の実施形態のいくつかの例では、例えば動作１１０１および１３０２に従って、ｅＰＵＣＣＨについての適切なＬＢＴを決定する方法が、ｅＮＢ指示に基づき得る。これらの例の一態様では、ｅＮＢは、対応するＰＤＳＣＨ送信についてのＤＬ割当てでＨＡＲＱ  ＡＣＫ／ＮＡＣＫを搬送するｅＰＵＣＣＨについての適切なＬＢＴ持続時間を示し得る。一例では、例えば動作１１０２に従って、ＵＥは、前記ＤＬ割当てで与えられるＬＢＴパラメータを適用し、前記ＤＬサブフレームに対応するＵＬサブフレーム内の前記ＨＡＲＱ  ＡＣＫ／ＮＡＣＫの対応する送信を実施し得る。一例では、前記対応するＵＬサブフレームは、前記ＤＬ割当てを受信したサブフレームの４サブフレーム後で生じ得る。別の例では、ｅＮＢは、ＵＥが前記対応するＵＬサブフレーム内のＨＡＲＱ  ＡＣＫ／ＮＡＣＫフィードバック送信を抑制し得るかどうかを、サブフレームｎ内の前記ＤＬ割当てで示し得る。一例では、前記ＤＬ割当ては、前記対応するサブフレームを越える、後のどのサブフレームで、ＵＥがＨＡＲＱ  ＡＣＫ／ＮＡＣＫフィードバック送信し得るかを示し得、前記ＤＬ割当ては、前記後のサブフレームで使用されるべき関連するｅＰＵＣＣＨ  ＬＢＴパラメータも与え得る。そのようなケースでは、デフォルトは、対応するＤＬサブフレームの後の所定の時間、すなわちＮ＋４に生じるサブフレームでアップリンク制御情報（ＵＣＩ）を送ることでよいが、本明細書の実施形態の例は、バンドリングを達成するために一定のＵＣＩを抑制するようにＵＥに明示的にシグナリングすることを含み得る。または、本明細書の実施形態の代替例は、例えばデフォルト仮定Ｎ＋４からのデルタとしてＵＣＩが送られ得るサブフレーム番号またはＤＬ送信に関連するサブフレーム番号をシグナリングすることを含み得る。
【００８２】
非限定的な例として、特定のサブフレームでｅＰＵＣＣＨを送信するすべてのＵＥについてセット｛１，２，３，４，５，６，７｝からのＬＢＴバックオフカウンタを示すために３ビットが使用され得る。別の非限定的な例では、ＵＥが固定持続時間、例えば２５μｓのショートＬＢＴを適用し得るか、それとも完全な、指数関数的な、Ｃａｔ．４、ＬＢＴを適用し得るかを示すために１ビットが使用され得る。ｅＮＢが後者を示す場合、ＵＥは、擬似乱数発生器から前記Ｃａｔ．４  ＬＢＴについてのＬＢＴパラメータを導出し得る。一例では、前記擬似乱数発生器は、サブフレーム番号および／またはＳＦＮを入力パラメータとして使用し得る。
【００８３】
一例では、擬似乱数発生器の構成は上位層構成によって行われ得る。別の例では、動作１３０２によれば、この構成はＭＩＢまたはＳＩＢによって実施され得る。
【００８４】
ＰＲＡＣＨプリアンブルを送信するＵＥは、動作１３０２に従って、ＭＩＢまたはＳＩＢから擬似乱数発生器パラメータを受信し得、このケースでは、ＰＲＡＣＨプリアンブルは、他のＵＥからｅＰＵＣＣＨおよびＰＵＳＣＨと同一のサブフレーム内で送信され得る。
【００８５】
別のシナリオでは、ＴＸＯＰの外側のｅＰＵＣＣＨについてのＬＢＴ持続時間は、固定値に準静的に構成され得、すなわち、ワンショットＣＣＡまたはバックオフカウンタが固定され得る。ｅＮＢでの復号化失敗の場合に、ｅＰＵＣＣＨ送信が再送信され得ないからである。このケースでは、フルランダムバックオフを適用するか否かを示すために、ｅＮＢによって１ビットが使用され得る。ｓＰＵＣＣＨ  ＬＢＴパラメータを示すために類似の方法が適用可能であり得る。
【００８６】
この実施形態の別の態様では、次回のサブフレームのＤＬ／ＵＬ割振りをシグナリングするためにｅＮＢによって使用され得る共通ＰＤＣＣＨ（ＣＰＤＣＣＨ）が、ｅＰＵＣＣＨ  ＬＢＴパラメータに関する情報も搬送し得、それが、ＤＬまたはＵＬ送信のためにスケジューリングされておらず、スケジューリング要求（ＳＲ）を送ろうとするＵＥによっても読み取られ得る。別の態様では、ＤＬサブフレーム内の未使用物理ハイブリッド自動再送要求指示チャネル（ＰＨＩＣＨ）領域が、ｅＰＵＣＣＨ  ＬＢＴパラメータを示すために使用され得る。
【００８７】
別の態様では、低負荷シナリオでの、ＤＬ活動がなく、したがってｅＮＢ指示のないケースについて、ｅＰＵＣＣＨ  ＬＢＴがアドレス指定され得る。ＴＸＯＰの最後のＵＬサブフレーム送信の後、ＵＥ送信バッファが空であり得る場合であっても、事後送信Ｃａｔ．４  ＵＬ  ＬＢＴが実施され得る。新しいパケットがＵＥに到着し得ると、完全なＣａｔ．４  ＬＢＴが既に実施されていることがあるので、送信前にワンショットＣＣＡが実施され得る。したがって、媒体が大部分はアイドル状態であり、ＤＬ活動のない低負荷のケースでは、単一のＣＣＡを伴うｅＰＵＣＣＨが、前のＴＸＯＰの後に事後送信フルランダムバックオフを完了したすべてのＵＥによって適用され得る。あるいは、ＬＢＴパラメータを導出するための前述の擬似乱数発生器方式が、ＤＬ活動なしのケースで適用され得る。
【００８８】
第２の例では、ブラインドＴＸＯＰ持続時間方式が、ショートＬＢＴ方式または通常のＬＢＴ方式がｅＰＵＣＣＨについて適用され得るかどうかを自律的に決定するためにＵＥによって採用され得る。例えば、ｅＰＵＣＣＨ  ＬＢＴパラメータについての追加のシグナリングがＣＰＤＣＣＨ内に含まれない場合、ＵＥは次いで、初期信号またはＣＲＳまたはＣＰＤＣＣＨをその中で検出し得る第１のサブフレームに基づいてＴＸＯＰの開始を推定し、ＣＰＤＣＣＨ内で示されるＤＬ／ＵＬ割振りに基づいてＴＸＯＰの終了を推定し得る。次いでＵＥは、ＴＸＯＰ境界のその推定に基づいて、適切なｅＰＵＣＣＨ  ＬＢＴ方式を採用し得る。
【００８９】
第３の例では、マルチキャリア送信の側面がＰＵＣＣＨ  ＬＢＴについて考慮に入れられ得る。複数の免許不要セルを有するＭｕＬＴＥｆｉｒｅ  ｅＮＢについて、各セルは独立したＬＢＴを実施し、異なるＴＸＯＰ持続時間を有し得る。１つまたは複数のＵＬ搬送波上で送信中であり得るＵＥは、ＲＦ漏れのために、隣接するＵＬ搬送波上でＵＬ  ＬＢＴを同時に実施し得ない。ＭＦ  ｅＮＢは、隣接する搬送波上のＵＬ送信が完了され得るまで１つまたは複数のＵＬ搬送波上のｅＰＵＣＣＨ送信の延期を示すことによって、これを考慮に入れ得る。
【００９０】
ＰＵＣＣＨ  ＬＢＴの問題を強調する例示的シナリオが図１２に示されている。図１２は、複数のＵＥによってＴＸＯＰ限度６ｍｓの外側で送信されるｅＰＵＣＣＨの一例を示す概略図である。この場合、ＭＣＯＴまたはＴＸＯＰ限度６ｍｓが一例として仮定される。図示される例では、ＴＸＯＰは、４つの完全なＤＬサブフレームと、部分ＤＬサブフレームと、ｓＰＵＣＣＨと、その後に続く１つのＵＬサブフレームとを含む。ダウンリンクが「Ｄ」として示されている。アップリンクが「Ｕ」として示されている。サブフレームの番号付けＳＦ０、ＳＦ１、ＳＦ２、ＳＦ３、ＳＦ４、およびＳＦ５が、それぞれのサブフレームの上に示されている。ＤＬ（ＤＬ  ＬＢＴ）内のＬＢＴが、ＭＦセル内でＴＸＯＰの先頭で実施される。最終的ＵＬサブフレームは、いくつかのＵＥによる多重化ｅＰＵＣＣＨおよびＰＵＳＣＨ送信を含むが、最終的ＵＬサブフレームは、ＴＸＯＰ限度の外側である６ｍｓ  ＭＣＯＴの外側にあるので、この場合、ｅＰＵＣＣＨを送信するすべてのＵＥが、フルランダムバックオフＬＢＴ、例えばＣａｔ．４を実施することが必要とされ得る。本明細書の例によれば、これらのＵＥは、「ＵＬ  ＬＢＴ」として示される、そのＬＢＴを同時に実施し、次いで、互いのＬＢＴをブロックすることを回避するためにｅＰＵＣＣＨまたはＰＵＳＣＨ送信を同時に開始することも必要とされ得る。ランダムアクセスプリアンブルを送信するＵＥは、同時にそのＬＢＴを実施することも必要とされ得る。
【００９１】
次に、第２の通信デバイス１０２によって実施される方法の実施形態が、図１３に示されるフローチャートを参照しながら説明される。第２の通信デバイス１０２はワイヤレス通信ネットワーク１００内で動作する。
【００９２】
以下のうちの一部の詳細な説明は、第１の通信デバイス１０１について説明した動作に関して、上記で与えられるのと同一の参照に対応し、ここでは繰り返されない。
【００９３】
動作１３０１
この動作では、第２の通信デバイス１０２は、第１の通信デバイス１０１が免許不要帯域内のアップリンク制御チャネル上で第２の通信デバイス１０２に送信をするための１つまたは複数のパラメータを決定する。前述のように、第１の通信デバイス１０１はワイヤレス通信ネットワーク１００内で動作する。１つまたは複数のパラメータは、チャネル感知期間の持続時間の指示を含む。第２の通信デバイス１０２は、動作１１０１において第１の通信デバイス１０１について説明したことと同様に１つまたは複数のパラメータを決定し得る。第２の通信デバイス１０２のケースでは、１つまたは複数のパラメータを決定すること（１１０１）は、１つまたは複数のパラメータを自律的に決定すること、例えば計算することを含み得る。
【００９４】
前述のように、アップリンク制御チャネルは、ａ）ＰＵＣＣＨ、ｂ）ｓＰＵＣＣＨ、およびｃ）ｅＰＵＣＣＨのうちの少なくとも１つでよい。
【００９５】
いくつかの実施形態では、第１の通信デバイス１０１について説明したことと同様に、１つまたは複数のパラメータを決定すること（１３０１）は、アップリンク制御チャネル上の送信の時間に基づき得る。アップリンク制御チャネルの送信の時間は、例えば最大チャネル占有時間（ＭＣＯＴ）内、またはＭＣＯＴの後でよい。
【００９６】
チャネル感知は、例えばＬＢＴ手順でよい。
【００９７】
指示は、ａ）ランダムバックオフカウンタの値、およびｂ）事前構成された値の適合の一方を含み得る。
【００９８】
いくつかの実施形態では、ＤＬ活動がアップリンク制御チャネルに関連付けられない。ＤＬ活動がアップリンク制御チャネルに関連付けらない、そのような実施形態では、第１の通信デバイス１０１が前のＴＸＯＰの後にフルランダムバックオフを完了したとき、持続時間は単一のＣＣＡであると決定され得る。
【００９９】
第１の通信デバイス１０１について説明したように、Ｄ−ＳＲは、ａ）ｓＰＵＣＣＨ機会のみ、ｂ）パンクチュアドＳＲＳに対応する時間−周波数リソース、の一方で送られるように構成され得る。
【０１００】
決定された１つまたは複数のパラメータは、第１の通信デバイスのグループ１１０がチャネル感知を実施すべきであると同時に、例えばそのチャネル感知期間が時間的に位置合せされることの指示を含み得る。これによれば、１つまたは複数のパラメータは、同一の時間リソース内のアップリンク制御チャネルの第１のグループ上で第２の通信デバイス１０２に送信をする第１の通信デバイスのグループ１１０について同一でよい。第１の通信デバイスのグループ１１０は第１の通信デバイス１０１を含み得る。第１の通信デバイスのグループ１１０はワイヤレス通信ネットワーク１００内で動作し得る。言い換えれば、いくつかの実施形態では、第２の通信デバイス１０２は、ワイヤレス通信ネットワーク１００内で動作する第１の通信デバイスのグループ１１０について、免許不要帯域内のアップリンク制御チャネルを第２の通信デバイス１０２に送信するために１つまたは複数のパラメータを決定し得、１つまたは複数のパラメータは、チャネル感知期間の同一の持続時間の指示を含む。
【０１０１】
同一の時間リソース内のアップリンク制御チャネルの第１のグループを送信する第１の通信デバイスのグループ１１０について持続時間が同一であることは、第１の通信デバイスのグループ１１０内の第１の通信デバイスのそれぞれが同一の時間リソース内のそれぞれのアップリンク制御チャネルを送信し得ることを意味すると理解され得る。このことは、アップリンク制御チャネルの第１のグループが多重化され得ると理解され得る。時間リソースは、例えばＯＦＤＭシンボルでよい。
【０１０２】
いくつかの特定の実施形態では、１つまたは複数のパラメータは、アップリンク制御チャネル、例えばＰＵＣＣＨ送信の第１のグループのいずれかについてのＣａｔ  ４ランダムバックオフＬＢＴの使用に関係し得る。
【０１０３】
いくつかの実施形態では、１つまたは複数のパラメータは、同一の時間インスタンスで複数のアップリンク制御情報を送信するために、例えば複数のＡＣＫ／ＮＡＣＫをバンドルするために、時間領域においてアップリンク制御チャネル上で送信をすることの延期をさらに含み得る。
【０１０４】
いくつかの実施形態では、アップリンク制御チャネル上で送信をすることが複数の搬送波内でよく、１つまたは複数のパラメータは、複数の搬送波の隣接する搬送波上のＵＬ送信が完了するまでの、複数の搬送波のうちの１つにおいてアップリンク制御チャネル上で送信をすることの延期をさらに含み得る。
【０１０５】
動作１３０２
この動作では、第２の通信デバイス１０２は、決定した１つまたは複数のパラメータを第１の通信デバイス１０１に送信すること、例えば送ることを開始する。すなわち、第２の通信デバイス１０２は、決定した１つまたは複数のパラメータ自体を送信し得るか、またはそのように行うように別の通信デバイスをトリガし得る。例えば、第２の通信デバイス１０２は、１つまたは複数のパラメータを決定し、次いでそれらを別の通信デバイスに送り得、次いで別の通信デバイスは、１つまたは複数のパラメータを第１の通信デバイス１０１に転送し得る。
【０１０６】
例えば第１の無線リンク１５２および第２の無線リンク１５２のいずれかを介して、送信が実施され得る。
【０１０７】
いくつかの実施形態では、決定した１つまたは複数のパラメータの送信を開始することは、ａ）アップリンク制御チャネルに対応するダウンリンクまたはアップリンク割当て、ｂ）ＭＩＢ、ｃ）ＳＩＢ、ｄ）ＣＰＤＣＣＨ、ｅ）ＤＬメッセージ内の未使用ＰＨＩＣＨ領域、およびｆ）準静的構成のうちの１つで実施され得る。
【０１０８】
上記によれば、本明細書の実施形態の利点は、免許不要帯域内のアップリンク制御チャネル上で送信をする方法、例えばＰＵＣＣＨについてのＬＢＴ方法に関する本明細書の実施形態が規定に忠実であり、ＭｕＬＴＥｆｉｒｅシステム性能を最適化することである。
【０１０９】
本明細書の特定の実施形態の利点は、持続時間が第１の通信デバイスのグループについて同一であるように、第１の通信デバイスがアップリンク制御チャネルを送信するための１つまたは複数のパラメータを決定することにより、第１の通信デバイスのグループによるアップリンク制御チャネルの送信が効率的に実施され得、第１の通信デバイスのグループ内の第１の通信デバイスが互いのチャネル感知手順をブロックすることが回避される。したがって、時間−周波数リソースのより効率的な使用、およびレイテンシの削減と共に送信が実施されるので、様々な第１の通信デバイスの多重化をサポートするワイヤレス通信ネットワーク内の免許不要スペクトルでのアップリンク制御チャネルの送信が改善される。
【０１１０】
図１１および図１２に関して上記で説明した方法動作を実施するために、第１の通信デバイス１０１は、図１４に示される以下の構成を含み得る。前述のように、第１の通信デバイス１０１は、ワイヤレス通信ネットワーク１００内で動作するように構成される。
【０１１１】
以下のうちの一部の詳細な説明は、第１の通信デバイス１０１について説明した動作に関して、上記で与えられるものと同一の参照に対応し、ここでは繰り返されない。例えば、いくつかの実施形態では、アップリンク制御チャネルは、ａ）ＰＵＣＣＨ、ｂ）ｓＰＵＣＣＨ、およびｃ）ｅＰＵＣＣＨのうちの少なくとも１つでよい。
【０１１２】
第１の通信デバイス１０１は、ワイヤレス通信ネットワーク１００内で動作するように構成された第２の通信デバイス１０２に免許不要帯域内のアップリンク制御チャネル上で送信をするための１つまたは複数のパラメータを決定するようにさらに構成され、例えば１つまたは複数のパラメータを決定するように構成された決定モジュール１４０１によってさらに構成され、１つまたは複数のパラメータはチャネル感知期間の持続時間の指示を含む。決定モジュール１４０１は、第１の通信デバイス１０１のプロセッサ１４０４、またはそのようなプロセッサ上で動作中のアプリケーションでよい。
【０１１３】
１つまたは複数のパラメータは、同一の時間リソース内のアップリンク制御チャネルの第１のグループ上で送信をするように構成された第１の通信デバイスのグループ１１０について同一でよく、第１の通信デバイスのグループ１１０は第１の通信デバイス１０１を含み、第１の通信デバイスのグループ１１０は、ワイヤレス通信ネットワーク１００内で動作するようにさらに構成される。
【０１１４】
指示は、ａ）ランダムバックオフカウンタの値、およびｂ）事前構成された値の適合のうちの１つを含む。
【０１１５】
１つまたは複数のパラメータを決定することは、アップリンク制御チャネル上の送信の時間に基づくように構成され得る。
【０１１６】
いくつかの実施形態では、１つまたは複数のパラメータを決定することは、ａ）第２の通信デバイス１０２から１つまたは複数のパラメータを受信すること、およびｂ）１つまたは複数のパラメータを自律的に決定することの一方を含み得る。
【０１１７】
１つまたは複数のパラメータを決定することは、ａ）アップリンク制御チャネルに対応するダウンリンクまたはアップリンク割当て、ｂ）ＭＩＢ、ｃ）ＳＩＢ、ｄ）ＣＰＤＣＣＨ、ｅ）ＤＬメッセージ内の未使用ＰＨＩＣＨ領域、およびｆ）準静的構成のうちの１つにおいて、第２の通信デバイス１０２から１つまたは複数のパラメータを受信することを含み得る。
【０１１８】
いくつかの実施形態では、第２の通信デバイス１０２から１つまたは複数のパラメータを受信することは、ＭＩＢおよびＳＩＢの一方でよく、１つまたは複数のパラメータは、同一の時間リソース内のアップリンク制御チャネルの第１のグループ上で送信をするように構成された第１の通信デバイスのグループ１１０内の他の第１の通信デバイス１１２、１１３から、アップリンク制御チャネルおよび／またはアップリンク共有チャネルと同一の単位の時間−周波数リソース内でＰＲＡＣＨプリアンブルを送信するために第１の通信デバイス１０１によって使用されるように構成され得、第１の通信デバイスのグループ１１０は第１の通信デバイス１０１を含む。
【０１１９】
ＤＬ活動がアップリンク制御チャネルに関連付けられ得ない、いくつかの実施形態では、第１の通信デバイス１０１が前のＴＸＯＰの後にフルランダムバックオフを完了したとき、持続時間は、単一のＣＣＡであると決定されるように構成され得る。
【０１２０】
Ｄ−ＳＲは、ａ）ｓＰＵＣＣＨ機会のみ、およびｂ）パンクチュアドＳＲＳに対応する時間−周波数リソース、の一方で送られるように構成され得る。
【０１２１】
１つまたは複数のパラメータを決定することは、第１の通信デバイス１０１が１つまたは複数のパラメータを自律的に決定することを含み得、決定することは、第１の通信デバイス１０１によってＴＸＯＰの推定に基づいてＬＢＴパラメータを決定することを含み得る。
【０１２２】
いくつかの実施形態では、アップリンク制御チャネル上で送信をすることは複数の搬送波内でよく、１つまたは複数のパラメータは、複数の搬送波の隣接する搬送波上のＵＬ送信が完了するまでの、複数の搬送波のうちの１つにおいてアップリンク制御チャネル上で送信をすることの延期をさらに含み得る。
【０１２３】
１つまたは複数のパラメータは、同一の時間インスタンスで複数のアップリンク制御情報を送信するために、時間領域においてアップリンク制御チャネル上で送信をすることの延期をさらに含み得る。
【０１２４】
第１の通信デバイス１０１は、決定した１つまたは複数のパラメータを適用することによって、第２の通信デバイス１０２にアップリンク制御チャネル上で送信をするようにさらに構成され、例えば送信をするように構成された送信モジュール１４０２によってさらに構成される。送信モジュール１４０２は、第１の通信デバイス１０１のプロセッサ１４０４、またはそのようなプロセッサ上で動作中のアプリケーションでよい。
【０１２５】
第１の通信デバイス１０１は他のモジュール１４０３を備え得る。
【０１２６】
本明細書の実施形態は、本明細書の実施形態の機能および動作を実施するためのコンピュータプログラムコードと共に、図１４に示される第１の通信デバイス１０１内のプロセッサ１４０４などの１つまたは複数のプロセッサを通じて実装され得る。前述のプログラムコードは、例えば、第１の通信デバイス１０１内にロードされるときに本明細書の実施形態を実施するためのコンピュータプログラムコードを搬送するデータキャリアの形態の、コンピュータプログラム製品としても提供され得る。１つのそのようなキャリアはＣＤ−ＲＯＭディスクの形態でよい。しかしながら、メモリスティックなどの他のデータキャリアと共に実現可能である。さらに、コンピュータプログラムコードは、サーバ上の純粋なプログラムコードとして提供され、第１の通信デバイス１０１にダウンロードされ得る。
【０１２７】
第１の通信デバイス１０１は、１つまたは複数のメモリユニットを備えるメモリ１４０５をさらに備え得る。メモリ１４０５は、第１の通信デバイス１０１内で実行されるときに本明細書の方法を実施するために、得られた情報を記憶し、データ、構成、スケジューリング、およびアプリケーションなどを記憶するために使用されるように構成される。
【０１２８】
いくつかの実施形態では、第１の通信デバイス１０１は、受信ポート１４０６を通じて第２の通信デバイス１０２から情報を受信し得る。いくつかの実施形態では、受信ポート１４０６は、例えば、第１の通信デバイス１０１内の１つまたは複数のアンテナに接続され得る。別の実施形態では、第１の通信デバイス１０１は、受信ポート１４０６を通じてワイヤレス通信ネットワーク１００内の別の構造から情報を受信し得る。受信ポート１４０６はプロセッサ１４０４と通信し得るので、次いで受信ポート１４０６は、受信した情報をプロセッサ１４０４に送り得る。受信ポート１４０６はまた、他の情報を受信するように構成され得る。
【０１２９】
第１の通信デバイス１０１内のプロセッサ１４０４は、送信ポート１４０７を通じて、例えば第２の通信デバイス１０２に情報を送信する、または送るようにさらに構成され得、送信ポート１４０７は、プロセッサ１４０４およびメモリ１４０５と通信し得る。
【０１３０】
第１の通信デバイス１０１は、第１の通信デバイス１０１と、他のノードまたはデバイス、例えば第２の通信デバイス１０２との間の通信を容易にするためのインターフェースユニットを備え得る。インターフェースは、例えば、適切な規格に従ってエアインターフェースを介して無線信号を送信および受信するように構成されたトランシーバを含み得る。
【０１３１】
前述の決定モジュール１４０１、送信モジュール１４０２、および他のモジュール１４０３が、アナログモジュールとデジタルモジュールの組合せ、ならびに／あるいはプロセッサ１４０４などの１つまたは複数のプロセッサによって実行されるとき、前述のように実施する、例えばメモリ内に記憶されたソフトウェアおよび／またはファームウェアと共に構成された１つまたは複数のプロセッサを指すことがあることを当業者はやはり理解されよう。これらのプロセッサのうちの１つまたは複数、ならびに他のデジタルハードウェアは、単一の特定用途向け集積回路（ＡＳＩＣ）内に含まれ得、またはいくつかのプロセッサおよび様々なデジタルハードウェアが、個々にパッケージ化されるとしても、システムオンチップ（ＳｏＣ）として組み立てられるとしても、いくつかの別々の構成要素の間に分散し得る。
【０１３２】
さらに、いくつかの実施形態では、前述の異なるモジュール１４０１〜１４０３が、プロセッサ１４０４などの１つまたは複数のプロセッサ上で動作中の１つまたは複数のアプリケーションとして実装され得る。
【０１３３】
したがって、第１の通信デバイス１０１についての本明細書で説明される実施形態による方法は、少なくとも１つのプロセッサ１４０４上で実行されるとき、第１の通信デバイス１０１によって実施される、本明細書で説明される動作を少なくとも１つのプロセッサ１４０４に実施させる命令、すなわちソフトウェアコード部分を含むコンピュータプログラム１４０８によってそれぞれ実装され得る。コンピュータプログラム１４０８製品は、コンピュータ可読記憶媒体１４０９上に記憶され得る。コンピュータプログラム１４０８を記憶するコンピュータ可読記憶媒体１４０９は、少なくとも１つのプロセッサ１４０４上で実行されるとき、第１の通信デバイス１０１によって実施される、本明細書で説明される動作を少なくとも１つのプロセッサ１４０４に実施させる命令を含み得る。いくつかの実施形態では、コンピュータ可読記憶媒体１４０９は、ＣＤ−ＲＯＭディスク、メモリスティックなどの非一時的コンピュータ可読記憶媒体でよい。他の実施形態では、コンピュータプログラム１４０８製品は、説明したばかりのコンピュータプログラム１４０８を含むキャリア上に記憶され得、前述のように、キャリアは、電子信号、光信号、無線信号、またはコンピュータ可読記憶媒体１４０９のうちの１つである。
【０１３４】
図１３に関して上記で説明した方法動作を実施するために、第２の通信デバイス１０２は、図１５に示される以下の構成を含み得る。前述のように、第２の通信デバイス１０２は、ワイヤレス通信ネットワーク１００内で動作するように構成される。
【０１３５】
以下のうちの一部の詳細な説明は、第１の通信デバイス１０１について説明した動作に関して、上記で与えられるのと同一の参照に対応し、ここでは繰り返されない。例えば、いくつかの実施形態では、アップリンク制御チャネルは、ａ）ＰＵＣＣＨ、ｂ）ｓＰＵＣＣＨ、およびｃ）ｅＰＵＣＣＨのうちの少なくとも１つでよい。
【０１３６】
第２の通信デバイス１０２は、第１の通信デバイス１０１が免許不要帯域内のアップリンク制御チャネル上で第２の通信デバイス１０２に送信をするための１つまたは複数のパラメータを決定するようにさらに構成され、例えば１つまたは複数のパラメータを決定するように構成された決定モジュール１５０１によってさらに構成され、第１の通信デバイス１０１はワイヤレス通信ネットワーク１００内で動作するように構成され、１つまたは複数のパラメータはチャネル感知期間の持続時間の指示を含む。決定モジュール１５０１は、第２の通信デバイス１０２のプロセッサ１５０４、またはそのようなプロセッサ１５０４上で動作中のアプリケーションでよい。
【０１３７】
１つまたは複数のパラメータは、同一の時間リソース内のアップリンク制御チャネルの第１のグループ上で第２の通信デバイス１０２に送信をするように構成された第１の通信デバイスのグループ１１０について同一でよく、第１の通信デバイスのグループ１１０は第１の通信デバイス１０１を含み、第１の通信デバイスのグループ１１０は、ワイヤレス通信ネットワーク１００内で動作するようにさらに構成される。
【０１３８】
指示は、ａ）ランダムバックオフカウンタの値、およびｂ）事前構成された値の適合のうちの１つを含む。
【０１３９】
１つまたは複数のパラメータを決定することは、アップリンク制御チャネル上の送信の時間に基づくように構成され得る。
【０１４０】
決定した１つまたは複数のパラメータの送信（１３０２）を開始することは、ａ）アップリンク制御チャネルに対応するダウンリンクまたはアップリンク割当て、ｂ）ＭＩＢ、ｃ）ＳＩＢ、ｄ）ＣＰＤＣＣＨ、ｅ）ＤＬメッセージ内の未使用ＰＨＩＣＨ領域、およびｆ）準静的構成のうちの１つで行われ得る。
【０１４１】
いくつかの実施形態では、ＤＬ活動がアップリンク制御チャネルに関連付けられ得ず、第１の通信デバイス１０１が前のＴＸＯＰの後にフルランダムバックオフを完了したとき、持続時間は、単一のＣＣＡであると決定されるように構成され得る。
【０１４２】
Ｄ−ＳＲは、ａ）ｓＰＵＣＣＨ機会のみ、およびｂ）パンクチュアドＳＲＳに対応する時間−周波数リソース、の一方で送られるように構成され得る。
【０１４３】
いくつかの実施形態では、アップリンク制御チャネル上で送信をすることは複数の搬送波内でよく、１つまたは複数のパラメータは、複数の搬送波の隣接する搬送波上のＵＬ送信が完了するまでの、複数の搬送波のうちの１つにおいてアップリンク制御チャネル上で送信をすることの延期をさらに含み得る。
【０１４４】
１つまたは複数のパラメータは、同一の時間インスタンスで複数のアップリンク制御情報を送信をするために、時間領域においてアップリンク制御チャネル上で送信をすることの延期をさらに含み得る。
【０１４５】
第２の通信デバイス１０２は、決定した１つまたは複数のパラメータの第１の通信デバイス１０１への送信を開始するようにさらに構成され、例えば開始するように構成された開始モジュール１５０２によってさらにさらに構成される。開始モジュール１５０２は、第２の通信デバイス１０２のプロセッサ１５０４、またはそのようなプロセッサ１５０４上で動作中のアプリケーションでよい。
【０１４６】
第２の通信デバイス１０２は他のモジュール１５０３を備え得る。
【０１４７】
本明細書の実施形態は、本明細書の実施形態の機能および動作を実施するためのコンピュータプログラムコードと共に、図１５に示される第２の通信デバイス１０２内のプロセッサ１５０４などの１つまたは複数のプロセッサを通じて実装され得る。前述のプログラムコードは、例えば、第２の通信デバイス１０２内にロードされるときに本明細書の実施形態を実施するためのコンピュータプログラムコードを搬送するデータキャリアの形態の、コンピュータプログラム製品としても提供され得る。１つのそのようなキャリアはＣＤ−ＲＯＭディスクの形態でよい。しかしながら、メモリスティックなどのデータキャリアと共に実現可能である。さらに、コンピュータプログラムコードは、サーバ上の純粋なプログラムコードとして提供され、第２の通信デバイス１０２にダウンロードされ得る。
【０１４８】
第２の通信デバイス１０２は、１つまたは複数のメモリユニットを備えるメモリ１５０５をさらに備え得る。メモリ１５０５は、第２の通信デバイス１０２内で実行されるときに本明細書の方法を実施するために、得られた情報を記憶し、データ、構成、スケジューリング、およびアプリケーションなどを記憶するために使用されるように構成される。
【０１４９】
いくつかの実施形態では、第２の通信デバイス１０２は、受信ポート１５０６を通じて第１の通信デバイス１０１から情報を受信し得る。いくつかの実施形態では、受信ポート１５０６は、例えば、第２の通信デバイス１０２内の１つまたは複数のアンテナに接続され得る。別の実施形態では、第２の通信デバイス１０２は、受信ポート１５０６を通じてワイヤレス通信ネットワーク１００内の別の構造から情報を受信し得る。受信ポート１５０６はプロセッサ１５０４と通信し得るので、次いで受信ポート１５０６は、受信した情報をプロセッサ１５０４に送り得る。受信ポート１５０６はまた、他の情報を受信するように構成され得る。
【０１５０】
第２の通信デバイス１０２内のプロセッサ１５０４は、送信ポート１５０７を通じて、例えば第１の通信デバイス１０１に情報を送信する、または送るようにさらに構成され得、送信ポート１５０７は、プロセッサ１５０４およびメモリ１５０５と通信し得る。
【０１５１】
第２の通信デバイス１０２は、第２の通信デバイス１０２と、他のノードまたはデバイス、例えば第１の通信デバイス１０１との間の通信を容易にするためのインターフェースユニットを備え得る。インターフェースは、例えば、適切な規格に従ってエアインターフェースを介して無線信号を送信および受信するように構成されたトランシーバを含み得る。
【０１５２】
前述の決定モジュール１５０１、開始モジュール１５０２、および他のモジュール１５０３が、アナログモジュールとデジタルモジュールの組合せ、ならびに／あるいはプロセッサ１５０４などの１つまたは複数のプロセッサによって実行されるとき、前述のように実施する、例えばメモリ内に記憶されたソフトウェアおよび／またはファームウェアと共に構成された１つまたは複数のプロセッサを指すことがあることを当業者はやはり理解されよう。これらのプロセッサのうちの１つまたは複数、ならびに他のデジタルハードウェアは、単一の特定用途向け集積回路（ＡＳＩＣ）内に含まれ得、またはいくつかのプロセッサおよび様々なデジタルハードウェアが、個々にパッケージ化されるとしても、システムオンチップ（ＳｏＣ）として組み立てられるとしても、いくつかの別々の構成要素の間に分散し得る。
【０１５３】
さらに、いくつかの実施形態では、前述の異なるモジュール１５０１〜１５０３が、プロセッサ１５０４などの１つまたは複数のプロセッサ上で動作中の１つまたは複数のアプリケーションとして実装され得る。
【０１５４】
したがって、第２の通信デバイス１０２についての本明細書で説明される実施形態による方法は、少なくとも１つのプロセッサ１５０４上で実行されるとき、第２の通信デバイス１０２によって実施される、本明細書で説明される動作を少なくとも１つのプロセッサ１５０４に実施させる命令、すなわちソフトウェアコード部分を含むコンピュータプログラム１５０８によってそれぞれ実装され得る。コンピュータプログラム１５０８製品は、コンピュータ可読記憶媒体１５０９上に記憶され得る。コンピュータプログラム１５０８を記憶するコンピュータ可読記憶媒体１５０９は、少なくとも１つのプロセッサ１５０４上で実行されるとき、第２の通信デバイス１０２によって実施される、本明細書で説明される動作を少なくとも１つのプロセッサ１５０４に実施させる命令を含み得る。いくつかの実施形態では、コンピュータ可読記憶媒体は、ＣＤ−ＲＯＭディスク、メモリスティックなどの非一時的コンピュータ可読記憶媒体でよい。他の実施形態では、コンピュータプログラム製品は、説明したばかりのコンピュータプログラムを含むキャリア上に記憶され得、前述のように、キャリアは、電子信号、光信号、無線信号、またはコンピュータ可読記憶媒体のうちの１つである。
【０１５５】
前述の実施形態のいずれかに関係する例は、以下の方法のいずれかに関係し得る。一実施形態からの構成要素は、暗黙のうちに、別の実施形態に存在することが想定され得、他の例示的実施形態でそうした構成要素がどのように使用され得るかは当業者には明らかであろう。
【０１５６】
より具体的には、以下は、第１の通信デバイス１０１などの第１の通信デバイスに関係する例と、第２の通信デバイス１０２などの第２の通信デバイスに関係する例である。
【０１５７】
第１の通信デバイスの例は図１６および図１４に関係する。
【０１５８】
図１６に示されるように、アップリンク制御チャネルを送信するための１つまたは複数のパラメータを決定するための第１の通信デバイス１０１によって実施される方法であって、ワイヤレス通信ネットワーク１００内で動作する第１の通信デバイス１０１は、
ワイヤレス通信ネットワーク１００内で動作する第２の通信デバイス１０２に免許不要帯域内のアップリンク制御チャネルを送信するための１つまたは複数のパラメータを決定する（１１０１）動作を含み得、１つまたは複数のパラメータは、同一の時間リソース内のアップリンク制御チャネルの第１のグループを送信する第１の通信デバイスのグループ１１０について同一であり、第１の通信デバイスのグループ１１０は第１の通信デバイス１０１を含み、ワイヤレス通信ネットワーク１００内で動作する。第１の通信デバイス１０１は、例えば第１の通信デバイス１０１内の決定モジュール１４０１によって、この決定する（１１０１）動作を実施するように構成され得る。
【０１５９】
いくつかの実施形態では、方法は、
決定した１つまたは複数のパラメータを適用することによって、第２の通信デバイス１０２にアップリンク制御チャネルを送信する（１１０２）、例えば送る動作をさらに含み得る。第１の通信デバイス１０１は、例えば第１の通信デバイス１０１内の送信モジュール１４０２によって、送信をする（１１０２）動作を実施するように構成され得る。
【０１６０】
第２の通信デバイスの例は図１７および図１５に関係する。
【０１６１】
図１７に示されるように、第１の通信デバイス１０１がアップリンク制御チャネルを送信するための１つまたは複数のパラメータを決定するために第２の通信デバイス１０２によって実施される方法であって、ワイヤレス通信ネットワーク１００内で動作する第１の通信デバイス１０１および第２の通信デバイス１０２は、
第１の通信デバイス１０１が第２の通信デバイス１０２に免許不要帯域内のアップリンク制御チャネルを送信するための１つまたは複数のパラメータを決定する（１３０１）動作を含み得、１つまたは複数のパラメータは、同一の時間リソース内のアップリンク制御チャネルの第１のグループを第２の通信デバイス１０２に送信をする第１の通信デバイスのグループ１１０について同一であり、第１の通信デバイスのグループ１１０は、第１の通信デバイス１０１を含み、ワイヤレス通信ネットワーク１００内で動作する。第２の通信デバイス１０２は、例えば第２の通信デバイス１０２内の決定モジュール１５０１によって、この決定する（１３０１）動作を実施するように構成され得る。例えば、１つまたは複数のパラメータは指示を含み得る。指示は、チャネル感知期間の持続時間の指示でよく、持続時間は、第１の通信デバイスのグループ１１０について同一である。
【０１６２】
いくつかの実施形態では、方法は、
決定した１つまたは複数のパラメータを第１の通信デバイス１０１に送信する、例えば送ることを開始する（１３０２）動作をさらに含み得る。第２の通信デバイス１０２は、例えば第２の通信デバイス１０２内の開始モジュール１５０２によって、この送信を開始する（１３０２）動作を実施するように構成され得る。
【０１６３】
「備える」または「含む」という語を使用するとき、非限定的なもの、すなわち「少なくともからなる」を意味すると解釈されるものとする。
【０１６４】
本明細書の実施形態は前述の好ましい実施形態に限定されない。様々な代替実施形態、修正形態、および均等物が使用され得る。したがって、上記の実施形態は、本発明の範囲を限定するものと理解されるべきではない。
【図１】
2019511858.tif 000003
【図２】
2019511858.tif 000004
【図３】
2019511858.tif 000005
【図４】
2019511858.tif 000006
【図５】
2019511858.tif 000007
【図６】
2019511858.tif 000008
【図７】
2019511858.tif 000009
【図８】
2019511858.tif 000010
【図９】
2019511858.tif 000011
【図１０】
2019511858.tif 000012
【図１１】
2019511858.tif 000013
【図１２】
2019511858.tif 000014
【図１３】
2019511858.tif 000015
【図１４】
2019511858.tif 000016
【図１５】
2019511858.tif 000017
【図１６】
2019511858.tif 000018
【図１７】
2019511858.tif 000019
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
ワイヤレス通信ネットワーク（１００）内で動作する第１の通信デバイス（１０１）によって実施される方法であって、
前記ワイヤレス通信ネットワーク（１００）内で動作する第２の通信デバイス（１０２）に免許不要帯域内のアップリンク制御チャネル上で送信をするための１つまたは複数のパラメータを決定すること（１１０１）であって、前記１つまたは複数のパラメータがチャネル感知期間の持続時間の指示を含む、決定すること、および
前記決定した１つまたは複数のパラメータを適用することによって、前記アップリンク制御チャネル上で前記第２の通信デバイス（１０２）に送信をすること（１１０２）
を含む方法。
【請求項２】
前記１つまたは複数のパラメータが、同一の時間リソース内のアップリンク制御チャネルの第１のグループ上で送信をする第１の通信デバイスのグループ（１１０）について同一であり、第１の通信デバイスの前記グループ（１１０）が前記第１の通信デバイス（１０１）を含み、第１の通信デバイスの前記グループ（１１０）が前記ワイヤレス通信ネットワーク（１００）内で動作する、請求項１に記載の方法。
【請求項３】
前記指示が、
ａ．ランダムバックオフカウンタの値、
ｂ．事前構成された値の適合
の一方を含む請求項１または２に記載の方法。
【請求項４】
前記１つまたは複数のパラメータを決定すること（１１０１）が、前記アップリンク制御チャネル上の送信の時間に基づく、請求項１から３のいずれか一項に記載の方法。
【請求項５】
前記１つまたは複数のパラメータを決定すること（１１０１）が、
ａ．前記第２の通信デバイス（１０２）から前記１つまたは複数のパラメータを受信すること、および
ｂ．前記１つまたは複数のパラメータを自律的に決定すること
の一方を含む、請求項１から４のいずれか一項に記載の方法。
【請求項６】
前記１つまたは複数のパラメータを決定すること（１１０１）が、
ａ．前記アップリンク制御チャネルに対応するダウンリンクまたはアップリンク割当て、
ｂ．マスタ情報ブロック（ＭＩＢ）、
ｃ．システム情報ブロック（ＳＩＢ）、
ｄ．共通物理ダウンリンク制御チャネル（ＣＰＤＣＣＨ）、
ｅ．ダウンリンク（ＤＬ）メッセージ内の未使用物理ハイブリッド自動再送要求指示チャネル（ＰＨＩＣＨ）領域、および
ｆ．準静的構成
のうちの１つにおいて、前記第２の通信デバイス（１０２）から前記１つまたは複数のパラメータを受信することを含む、請求項５に記載の方法。
【請求項７】
前記第２の通信デバイス（１０２）からの前記１つまたは複数のパラメータの受信が、前記ＭＩＢおよび前記ＳＩＢの一方で行われ、前記１つまたは複数のパラメータが、同一の時間リソース内のアップリンク制御チャネルの第１のグループ上で送信をする第１の通信デバイスのグループ（１１０）内の他の第１の通信デバイス（１１２、１１３）から、アップリンク制御チャネルおよび／またはアップリンク共有チャネルと同一の単位の時間−周波数リソース内で物理ランダムアクセスチャネル（ＰＲＡＣＨ）プリアンブルを送信するために前記第１の通信デバイス（１０１）によって使用され、第１の通信デバイスの前記グループ（１１０）が前記第１の通信デバイス（１０１）を含む、請求項６に記載の方法。
【請求項８】
ＤＬ活動が前記アップリンク制御チャネルに関連付けられておらず、前記第１の通信デバイス（１０１）が前の送信機会（ＴＸＯＰ）の後にフルランダムバックオフを完了したとき、前記持続時間が単一のクリアチャネル評価（ＣＣＡ）であると決定される、請求項１から７のいずれか一項に記載の方法。
【請求項９】
動的スケジューリング要求（Ｄ−ＳＲ）が、
ａ．ショート物理アップリンク制御チャネル（ｓＰＵＣＣＨ）機会のみ、
ｂ．パンクチュアドサウンディング参照信号（ＳＲＳ）に対応する時間−周波数リソース、
の一方で送られるように構成される、請求項１から８のいずれか一項に記載の方法。
【請求項１０】
前記１つまたは複数のパラメータを決定すること（１１０１）が、前記第１の通信デバイス（１０１）が前記１つまたは複数のパラメータを自律的に決定することを含み、且つ、前記第１の通信デバイス（１０１）によるＴＸＯＰの推定に基づいてＬｉｓｔｅｎ  Ｂｅｆｏｒｅ  Ｔａｌｋ（ＬＢＴ）パラメータを決定することを含む、請求項１から９のいずれか一項に記載の方法。
【請求項１１】
前記アップリンク制御チャネル上で送信をすることが複数の搬送波内で行われ、前記１つまたは複数のパラメータが、前記複数の搬送波の隣接する搬送波上のアップリンク（ＵＬ）送信が完了するまでの、前記複数の搬送波のうちの１つにおいて前記アップリンク制御チャネル上で送信をすることの延期をさらに含む、請求項１から１０のいずれか一項に記載の方法。
【請求項１２】
前記１つまたは複数のパラメータが、同一の時間インスタンスで複数のアップリンク制御情報を送信するために、時間領域において前記アップリンク制御チャネル上で送信をすることの延期をさらに含む、請求項１から１１のいずれか一項に記載の方法。
【請求項１３】
前記アップリンク制御チャネルが、ａ）物理アップリンク制御チャネル（ＰＵＣＣＨ）、ｂ）ｓＰＵＣＣＨ、およびｃ）拡張ＰＵＣＣＨ（ｅＰＵＣＣＨ）のうちの少なくとも１つである、請求項１から１２のいずれか一項に記載の方法。
【請求項１４】
ワイヤレス通信ネットワーク（１００）内で動作する第２の通信デバイス（１０２）によって実施される方法であって、
第１の通信デバイス（１０１）が前記第２の通信デバイス（１０２）に免許不要帯域内のアップリンク制御チャネル上で送信をするための１つまたは複数のパラメータを決定すること（１３０１）であって、前記第１の通信デバイス（１０１）が前記ワイヤレス通信ネットワーク（１００）内で動作し、前記１つまたは複数のパラメータがチャネル感知期間の持続時間の指示を含む、決定すること、および
前記第１の通信デバイス（１０１）に前記決定した１つまたは複数のパラメータを送信することを開始すること（１３０２）
を含む方法。
【請求項１５】
前記１つまたは複数のパラメータが、同一の時間リソース内のアップリンク制御チャネルの第１のグループ上で前記第２の通信デバイス（１０２）に送信をする第１の通信デバイスのグループ（１１０）について同一であり、第１の通信デバイスの前記グループ（１１０）が前記第１の通信デバイス（１０１）を含み、第１の通信デバイスの前記グループ（１１０）が前記ワイヤレス通信ネットワーク（１００）内で動作する、請求項１４に記載の方法。
【請求項１６】
前記１つまたは複数のパラメータを決定すること（１３０１）が、前記アップリンク制御チャネル上の送信の時間に基づく、請求項１４または１５に記載の方法。
【請求項１７】
前記指示が、
ａ．ランダムバックオフカウンタの値、
ｂ．事前構成された値の適合
の一方を含む、請求項１４から１６のいずれか一項に記載の方法。
【請求項１８】
前記決定した１つまたは複数のパラメータを送信することを開始すること（１３０２）が、
ａ．前記アップリンク制御チャネルに対応するダウンリンクまたはアップリンク割当て、
ｂ．マスタ情報ブロック（ＭＩＢ）、
ｃ．システム情報ブロック（ＳＩＢ）、
ｄ．共通物理ダウンリンク制御チャネル（ＣＰＤＣＣＨ）、
ｅ．ダウンリンク（ＤＬ）メッセージ内の未使用物理ハイブリッド自動再送要求指示チャネル（ＰＨＩＣＨ）領域、および
ｆ．準静的構成
のうちの１つで行われる、請求項１４から１７のいずれか一項に記載の方法。
【請求項１９】
ワイヤレス通信ネットワーク（１００）内で動作するように構成された第１の通信デバイス（１０１）であって、
前記ワイヤレス通信ネットワーク（１００）内で動作するように構成された第２の通信デバイス（１０２）に免許不要帯域内のアップリンク制御チャネル上で送信をするための１つまたは複数のパラメータを決定することであって、前記１つまたは複数のパラメータがチャネル感知期間の持続時間の指示を含む、決定すること、および
前記決定した１つまたは複数のパラメータを適用することによって、前記第２の通信デバイス（１０２）に前記アップリンク制御チャネル上で送信をすること
を行うようにさらに構成される第１の通信デバイス（１０１）。
【請求項２０】
前記１つまたは複数のパラメータが、同一の時間リソース内のアップリンク制御チャネルの第１のグループ上で送信をするように構成された第１の通信デバイスのグループ（１１０）について同一であり、第１の通信デバイスの前記グループ（１１０）が前記第１の通信デバイス（１０１）を含み、第１の通信デバイスの前記グループ（１１０）が、前記ワイヤレス通信ネットワーク（１００）内で動作するようにさらに構成される、請求項１９に記載の第１の通信デバイス（１０１）。
【請求項２１】
前記指示が、
ａ．ランダムバックオフカウンタの値、
ｂ．事前構成された値の適合
の一方を含む、請求項１９または２０に記載の第１の通信デバイス（１０１）。
【請求項２２】
ワイヤレス通信ネットワーク（１００）内で動作するように構成された第２の通信デバイス（１０２）であって、
第１の通信デバイス（１０１）が第２の通信デバイス（１０２）に免許不要帯域内のアップリンク制御チャネル上で送信をするための１つまたは複数のパラメータを決定することであって、前記第１の通信デバイス（１０１）が前記ワイヤレス通信ネットワーク（１００）内で動作するように構成され、前記１つまたは複数のパラメータがチャネル感知期間の持続時間の指示を含む、決定すること、および
前記第１の通信デバイス（１０１）に前記決定した１つまたは複数のパラメータを送信することを開始すること（１３０２）
を行うようにさらに構成される第２の通信デバイス（１０２）。
【国際調査報告】
2019511858.tif 000020
2019511858.tif 000021